(57)【特許請求の範囲】
【請求項１】
ユーザ機器（ＵＥ）におけるワイヤレス通信のための方法であって、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと、
前記第１のセルＩＤおよび前記第２のセルＩＤに少なくとも部分的に基づいて通信することと
を備え、
ここにおいて、
前記第１の無線周波数スペクトルバンドは、ダウンリンク無線周波数スペクトルバンドを備え、前記第２の無線周波数スペクトルバンドは、アップリンク無線周波数スペクトルバンドを備え、
前記第１の無線周波数スペクトルバンドおよび前記第２の無線周波数スペクトルバンドは、異なる送信電力制限、または異なる干渉特性、またはそれらの組合せ、のうちの少なくとも１つに関連付けられる、
方法。
【請求項２】
前記第２のダウンリンク送信に関する第２の疑似コロケーション（ＱＣＬ）構成を決定することをさらに備える、請求項１に記載の方法。
【請求項３】
前記第１のダウンリンク送信に関する第１のＱＣＬ構成を決定すること、
ここにおいて、前記第２のＱＣＬ構成は、前記第１のＱＣＬ構成に少なくとも部分的に基づいて、決定される、
をさらに備える、請求項２に記載の方法。
【請求項４】
前記第２のＱＣＬ構成は、前記ダウンリンク無線周波数スペクトルバンドにおいて受信された少なくとも第１の基準信号および前記アップリンク無線周波数スペクトルバンドにおいて受信された少なくとも第２の基準信号を備える、請求項３に記載の方法。
【請求項５】
前記第２のダウンリンク送信に関する第２のレート整合構成を決定することをさらに備える、請求項１に記載の方法。
【請求項６】
前記第１のダウンリンク送信に関する第１のレート整合構成を決定すること、
ここにおいて、前記第２のレート整合構成は、前記第１のレート整合構成に少なくとも部分的に基づいて、決定される、
をさらに備える、請求項５に記載の方法。
【請求項７】
前記第１のセルＩＤは、前記第２のセルＩＤとは異なり、ここで、前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、請求項１に記載の方法。
【請求項８】
前記第１のセルＩＤおよび前記第２のセルＩＤは、同じセルＩＤを備え、および前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、請求項１に記載の方法。
【請求項９】
前記第１のダウンリンク送信に関する第１のチャネル状態情報（ＣＳＩ）フィードバックを決定することと、
前記第２のダウンリンク送信に関する第２のＣＳＩフィードバックを決定することと  をさらに備える、請求項１に記載の方法。
【請求項１０】
前記ダウンリンク無線周波数スペクトルバンドにおいてＣＳＩ−ＲＳを受信することと、
前記アップリンク無線周波数スペクトルバンドにおいて、サウンディング基準信号（ＳＲＳ）を受信することと、  ここにおいて、前記第１のＣＳＩフィードバックは、前記ＣＳＩ−ＲＳに少なくとも部分的に基づき、および前記第２のＣＳＩフィードバックは、前記ＳＲＳに少なくとも部分的に基づく、
をさらに備える、請求項９に記載の方法。
【請求項１１】
前記通信することは、
ＤＲＳを受信すること
を備える、請求項１に記載の方法。
【請求項１２】
前記通信することは、
前記第２の無線周波数スペクトルバンドのサブフレームにおいて前記第２のダウンリンク送信を受信することを備え、前記第２のダウンリンク送信は、前記第２のセルＩＤおよび物理アップリンク共有チャネル（ＰＵＳＣＨ）のフォーマットに少なくとも部分的に基づき、および前記第２のダウンリンク送信は、８レイヤのシングルユーザ多入力多出力（ＳＵ−ＭＩＭＯ）送信を備える、請求項１に記載の方法。
【請求項１３】
前記第２のダウンリンク送信は、前記サブフレームの第１のスロットおよび第２のスロットの各々における８つの異なるサイクリックシフト、または前記第１のスロットにおける４つの異なるサイクリックシフトの第１のセットおよび前記第２のスロットにおける４つの異なるサイクリックシフトの第２のセット、または第１の周波数コームにおける４つの異なるサイクリックシフトの前記第１のセットおよび第２の周波数コームにおける４つの異なるサイクリックシフトの前記第２のセット、またはそれらの組合せ、のうちの少なくとも１つに関連付けられる、請求項１２に記載の方法。
【請求項１４】
ユーザ機器（ＵＥ）におけるワイヤレス通信のための装置であって、
プロセッサと、
前記プロセッサと電子通信状態にあるメモリと
を備え、
前記プロセッサおよび前記メモリは、
請求項１ないし１３のいずれかに記載の方法を実行する
ように構成される、装置。
【請求項１５】
請求項１ないし１３のいずれかに記載の方法を実行するために、コンピューティングデバイスのプロセッサによって実行可能な命令を備えるコンピュータプログラム。
【発明の詳細な説明】
【相互参照】
【０００１】
[0001]本特許出願は、Ｃｈｅｎらによる、「Techniques for Managing cell Identifiers and Other Parameters for Flexible Duplex Operations」と題され、２０１５年１１月２日に出願され、この譲受人に譲渡された、ＰＣＴ特許出願番号第ＰＣＴ／ＣＮ２０１５／０９３５９４号の優先権を主張し、それは、それの全体が参照より本明細書に組み込まれる。
【背景技術】
【０００２】
［開示の分野］
[0002]本開示は、例えば、ワイヤレス通信システムに関し、さらに特には、フレキシブルな複信動作のためのセル識別子および他のパラメータを管理するための技法に関連する。
［関連技術の説明］
【０００３】
[0003]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって複数の（multiple）ユーザとの通信をサポートすることが可能である（capable of）多元接続システム（multiple-access system）であり得る。そのような多元接続システムの例は、符号−分割多元接続（ＣＤＭＡ）システム、時−分割多元接続（ＴＤＭＡ）システム、周波数−分割多元接続（ＦＤＭＡ）システム、および、直交周波数−分割多元接続（ＯＦＤＭＡ）システムを含む。
【０００４】
[0004]例として、ワイヤレス多元接続通信システムは、多数の基地局を含み得、各々は、別名ユーザ機器（ＵＥ）として知られている、複数の通信デバイスのための通信を同時に（simultaneously）サポートする。基地局は、（例えば、基地局からＵＥへの送信に関して）ダウンリンク無線周波数スペクトルバンドおよび（例えば、ＵＥから基地局への送信に関して）アップリンク無線周波数スペクトルバンドを使用して、ＵＥと通信し得る。いくつかの状況下では、ダウンリンク帯域幅またはアップリンク帯域幅は、利用され過ぎる（over-utilized）か、または不十分に利用され（under-utilized）得る。
【発明の概要】
【０００５】
[0005]本開示は、例えば、フレキシブルな複信動作のためのセル識別子および他のパラメータを管理するための技法に関連する。ダウンリンク無線周波数スペクトルバンドがアップリンク無線周波数スペクトルバンドと対であり、およびダウンリンク無線周波数スペクトルバンドが、利用され過ぎるか、アップリンク無線周波数スペクトルバンドが、不十分に利用されるか、またはアップリンク無線周波数スペクトルバンドに関連付けられた干渉特性が、ダウンリンク無線周波数スペクトルバンドに関連付けられた干渉特性とは異なる状況において、アップリンク無線周波数スペクトルバンドは、ダウンリンク送信のために動的に使用され得る。これらの状況において、セル識別子（ＩＤ）、疑似コロケーション（ＱＣＬ：quasi-co-location）構成、レート整合構成、および他のパラメータまたは情報は、ダウンリンク無線周波数スペクトルバンドにおける第１のダウンリンク送信に関して、およびアップリンク無線周波数スペクトルバンドにおける第２のダウンリンク送信に関して、別々に管理され得る。
【０００６】
[0006]ＵＥにおけるワイヤレス通信の方法が説明される。方法は、対の無線周波数スペクトルバンドの第１の無線周波数スペクトルバンドにおける第１のダウンリンク送信に関連付けられた第１のセル識別子（ＩＤ）を決定することと、対の無線周波数スペクトルバンドの第２の無線周波数スペクトルバンドにおける第２のダウンリンク送信に関連付けられた第２のセルＩＤを決定することと、第１のセルＩＤおよび第２のセルＩＤに少なくとも部分的に基づいて通信することとを含み得る。
【０００７】
[0007]方法のうちのいくつかの例において、第１の無線周波数スペクトルバンドは、ダウンリンク無線周波数スペクトルバンドを含み得、第２の無線周波数スペクトルバンドは、アップリンク無線周波数スペクトルバンドを含み得る。いくつかの例において、方法は、第２のダウンリンク送信に関する第２のＱＣＬ構成を決定することをさらに含み得る。いくつかの例において、第２のＱＣＬ構成は、第１のＱＣＬ構成に少なくとも部分的に基づいて、決定され得る。いくつかの例において、第２のＱＣＬ構成は、ダウンリンク無線周波数スペクトルバンドにおいて受信された少なくとも第１の基準信号およびアップリンク無線周波数スペクトルバンドにおいて受信された少なくとも第２の基準信号を含み得る。
【０００８】
[0008]いくつかの例において、少なくとも第１の基準信号は、セル固有基準信号（ＣＲＳ）またはチャネル状態情報基準信号（ＣＳＩ−ＲＳ）のうちの少なくとも１つを含み得、少なくとも第２の基準信号は、復調基準信号（ＤＭ−ＲＳ）またはサウンディング基準信号（ＳＲＳ）のうちの少なくとも１つを含み得る。いくつかの例において、方法は、第２のダウンリンク送信に関する第２のレート整合構成を決定することをさらに含み得る。いくつかの例において、方法は、第１のダウンリンク送信に関する第１のレート整合構成を決定することをさらに含み得、第２のレート整合構成は、第１のレート整合構成に少なくとも部分的に基づいて決定され得る。いくつかの例において、第２のレート整合構成は、ＣＲＳ関連のレート整合無し、または第１のダウンリンク送信に関連付けられた第１のＣＲＳ関連のレート整合と比較してよりスパースな（sparse）ＣＲＳに関連付けられた第２のＣＲＳ関連のレート整合、または動的に存在する（present）ＣＲＳに関連付けられた第３のＣＲＳ関連のレート整合、または第１のダウンリンク送信に関連付けられた制御領域関連のレート整合と比較して制御領域関連のレート整合無し、またはそれらの組合せ、のうちの少なくとも１つを含み得る。
【０００９】
[0009]いくつかの例において、第１のセルＩＤは、第２のセルＩＤとは異なり得、通信することは、ダウンリンク無線周波数スペクトルバンドにおいて第１のセルＩＤに関連付けられた第１のＣＲＳを受信することと、アップリンク無線周波数スペクトルバンドにおいて第２のセルＩＤに関連付けられた第２のＣＲＳを受信することとを含み得る。いくつかの例において、第１のセルＩＤおよび第２のセルＩＤは、同じセルＩＤを含み得、通信することは、ダウンリンク無線周波数スペクトルバンドにおいて第１のセルＩＤに関連付けられた第１のＣＲＳを受信することと、アップリンク無線周波数スペクトルバンドにおいて第２のセルＩＤに関連付けられた第２のＣＲＳを受信することとを含み得る。いくつかの例において、方法は、第１のダウンリンク送信に関する第１のチャネル状態情報（ＣＳＩ）フィードバックを決定することと、第２のダウンリンク送信に関する第２のＣＳＩフィードバックを決定することとをさらに含み得る。
【００１０】
[0010]いくつかの例において、方法は、ダウンリンク無線周波数スペクトルバンドにおいてＣＳＩ−ＲＳを受信することと、アップリンク無線周波数スペクトルバンドにおいてＳＲＳを受信することとをさらに含み得る。第１のＣＳＩフィードバックは、ＣＳＩ−ＲＳに少なくとも部分的に基づき得、第２のＣＳＩフィードバックは、ＳＲＳに少なくとも部分的に基づき得る。いくつかの例において、通信することは、ＤＲＳを受信することを含み得る。いくつかの例において、ＤＲＳは、ダウンリンク無線周波数スペクトルバンドにおいて受信された少なくとも第１の基準信号およびアップリンク無線周波数スペクトルバンドにおいて受信された少なくとも第２の基準信号を含み得る。
【００１１】
[0011]いくつかの例において、少なくとも第１の基準信号は、プライマリ同期信号（ＰＳＳ）、またはセカンダリ同期信号（ＳＳＳ）、またはＣＲＳのうちの少なくとも１つを含み得、少なくとも第２の基準信号は、ＣＳＩ−ＲＳまたはＳＲＳのうちの少なくとも１つを含み得る。いくつかの例において、第１の無線周波数スペクトルバンドおよび第２の無線周波数スペクトルバンドは、異なる送信電力制限、または異なる干渉特性、またはそれらの組合せ、のうちの少なくとも１つに関連付けられ得る。いくつかの例において、第１のセルＩＤおよび第２のセルＩＤは、同じ物理セルＩＤ（ＰＣＩ）または同じ仮想セルＩＤ（ＶＣＩ）を含み得る。
【００１２】
[0012]いくつかの例において、方法は、第２の無線周波数スペクトルバンドのサブフレームにおいて第２のダウンリンク送信を受信することをさらに含み得、第２のダウンリンク送信は、第２のセルＩＤおよび物理アップリンク共有チャネル（ＰＵＳＣＨ）のフォーマットに少なくとも部分的に基づき、第２のダウンリンク送信は、８レイヤのシングルユーザ（eight layer single-user）多入力多出力（ＳＵ−ＭＩＭＯ）送信を備える。いくつかの例において、第２のダウンリンク送信は、サブフレームの第１のスロットおよび第２のスロットの各々における８つの異なるサイクリックシフト、または第１のスロットにおける４つの異なるサイクリックシフトの第１のセットおよび第２のスロットにおける４つの異なるサイクリックシフトの第２のセット、または第１の周波数コームにおける４つの異なるサイクリックシフトの第１のセットおよび第２の周波数コームにおける４つの異なるサイクリックシフトの第２のセット、またはそれらの組合せ、のうちの少なくとも１つに関連付けられる。
【００１３】
[0013]１つの例において、ＵＥにおけるワイヤレス通信のための装置が説明される。装置は、対の無線周波数スペクトルバンドの第１の無線周波数スペクトルバンドにおける第１のダウンリンク送信に関連付けられた第１のセルＩＤを決定するための手段と、対の無線周波数スペクトルバンドの第２の無線周波数スペクトルバンドにおける第２のダウンリンク送信に関連付けられた第２のセルＩＤを決定するための手段と、第１のセルＩＤおよび第２のセルＩＤに少なくとも部分的に基づいて通信するための手段とを含み得る。
【００１４】
[0014]装置のいくつかの例において、第１の無線周波数スペクトルバンドは、ダウンリンク無線周波数スペクトルバンドを含み得、第２の無線周波数スペクトルバンドは、アップリンク無線周波数スペクトルバンドを含み得る。いくつかの例において、装置は、第２のダウンリンク送信に関する第２のＱＣＬ構成を決定するための手段をさらに含み得る。いくつかの例において、装置は、第１のダウンリンク送信に関する第１のＱＣＬ構成を決定するための手段をさらに含み得、第２のＱＣＬ構成は、第１のＱＣＬ構成に少なくとも部分的に基づいて、決定され得る。いくつかの例において、第２のＱＣＬ構成は、ダウンリンク無線周波数スペクトルバンドにおいて受信された少なくとも第１の基準信号およびアップリンク無線周波数スペクトルバンドにおいて受信された少なくとも第２の基準信号を含み得る。
【００１５】
[0015]いくつかの例において、少なくとも第１の基準信号は、ＣＲＳまたはＣＳＩ−ＲＳのうちの少なくとも１つを含み得、少なくとも第２の基準信号は、ＤＭ−ＲＳまたはＳＲＳのうちの少なくとも１つを含み得る。いくつかの例において、装置は、第２のダウンリンク送信に関する第２のレート整合構成を決定するための手段をさらに含み得る。いくつかの例において、装置は、第１のダウンリンク送信に関する第１のレート整合構成を決定するための手段をさらに含み得、第２のレート整合構成は、第１のレート整合構成に少なくとも部分的に基づいて決定され得る。いくつかの例において、第２のレート整合構成は、ＣＲＳ関連のレート整合無し、または第１のダウンリンク送信に関連付けられた第１のＣＲＳ関連のレート整合と比較してよりスパースなＣＲＳに関連付けられた第２のＣＲＳ関連のレート整合、または動的に存在するＣＲＳに関連付けられた第３のＣＲＳ関連のレート整合、または第１のダウンリンク送信に関連付けられた制御領域関連のレート整合と比較して制御領域関連のレート整合無し、またはそれらの組合せ、のうちの少なくとも１つを含み得る。
【００１６】
[0016]いくつかの例において、第１のセルＩＤは、第２のセルＩＤとは異なり得、通信するための手段は、ダウンリンク無線周波数スペクトルバンドにおいて第１のセルＩＤに関連付けられた第１のＣＲＳを受信するための手段と、アップリンク無線周波数スペクトルバンドにおいて第２のセルＩＤに関連付けられた第２のＣＲＳを受信するための手段とを含み得る。いくつかの例において、第１のセルＩＤおよび第２のセルＩＤは、同じセルＩＤを含み得、通信するための手段は、ダウンリンク無線周波数スペクトルバンドにおいて第１のセルＩＤに関連付けられた第１のＣＲＳを受信するための手段と、アップリンク無線周波数スペクトルバンドにおいて第２のセルＩＤに関連付けられた第２のＣＲＳを受信するための手段とを含み得る。
【００１７】
[0017]いくつかの例において、装置は、第１のダウンリンク送信に関する第１のＣＳＩフィードバックを決定するための手段と、第２のダウンリンク送信に関する第２のＣＳＩフィードバックを決定するための手段とをさらに含み得る。いくつかの例において、装置は、ダウンリンク無線周波数スペクトルバンドにおいてＣＳＩ−ＲＳを受信するための手段と、アップリンク無線周波数スペクトルバンドにおいてＳＲＳを受信するための手段とさらに含み得る。第１のＣＳＩフィードバックは、ＣＳＩ−ＲＳに少なくとも部分的に基づき得、第２のＣＳＩフィードバックは、ＳＲＳに少なくとも部分的に基づき得る。
【００１８】
[0018]いくつかの例において、通信するための手段は、ＤＲＳを受信するための手段を含み得る。いくつかの例において、ＤＲＳは、ダウンリンク無線周波数スペクトルバンドにおいて受信された少なくとも第１の基準信号およびアップリンク無線周波数スペクトルバンドにおいて受信された少なくとも第２の基準信号を含み得る。いくつかの例において、少なくとも第１の基準信号は、ＰＳＳまたはＳＳＳまたはＣＲＳのうちの少なくとも１つを含み得、少なくとも第２の基準信号は、ＣＳＩ−ＲＳまたはＳＲＳのうちの少なくとも１つを含み得る。いくつかの例において、第１の無線周波数スペクトルバンドおよび第２の無線周波数スペクトルバンドは、異なる送信電力制限、または異なる干渉特性、またはそれらの組合せ、のうちの少なくとも１つに関連付けられ得る。いくつかの例において、第１のセルＩＤおよび第２のセルＩＤは、同じＰＣＩまたは同じＶＣＩを含み得る。
【００１９】
[0019]いくつかの例において、装置は、第２の無線周波数スペクトルバンドのサブフレームにおいて第２のダウンリンク送信を受信するための手段をさらに含み得、第２のダウンリンク送信は、第２のセルＩＤおよび物理アップリンク共有チャネル（ＰＵＳＣＨ）のフォーマットに少なくとも部分的に基づき、第２のダウンリンク送信は、８レイヤのシングルユーザ多入力多出力（ＳＵ−ＭＩＭＯ）送信を備える。いくつかの例において、第２のダウンリンク送信は、サブフレームの第１のスロットおよび第２のスロットの各々における８つの異なるサイクリックシフト、または第１のスロットにおける４つの異なるサイクリックシフトの第１のセットおよび第２のスロットにおける４つの異なるサイクリックシフトの第２のセット、または第１の周波数コームにおける４つの異なるサイクリックシフトの第１のセットおよび第２の周波数コームにおける４つの異なるサイクリックシフトの第２のセット、またはそれらの組合せ、のうちの少なくとも１つに関連付けられる。
【００２０】
[0020]１つの例において、ＵＥにおけるワイヤレス通信のための装置は、プロセッサと、プロセッサと電子通信状態にあるメモリとを含み得る。プロセッサおよびメモリは、対の無線周波数スペクトルバンドの第１の無線周波数スペクトルバンドにおける第１のダウンリンク送信に関連付けられた第１のセルＩＤを決定することと、対の無線周波数スペクトルバンドの第２の無線周波数スペクトルバンドにおける第２のダウンリンク送信に関連付けられた第２のセルＩＤを決定することと、第１のセルＩＤおよび第２のセルＩＤに少なくとも部分的に基づいて通信することとを行うように構成され得る。
【００２１】
[0021]いくつかの例において、第１の無線周波数スペクトルバンドは、ダウンリンク無線周波数スペクトルバンドを含み得、第２の無線周波数スペクトルバンドは、アップリンク無線周波数スペクトルバンドを含み得る。いくつかの例において、プロセッサおよびメモリは、第２のダウンリンク送信に関する第２のＱＣＬ構成を決定するようにさらに構成され得る。いくつかの例において、第２のＱＣＬ構成は、ダウンリンク無線周波数スペクトルバンドにおいて受信された少なくとも第１の基準信号およびアップリンク無線周波数スペクトルバンドにおいて受信された少なくとも第２の基準信号を含み得る。いくつかの例において、プロセッサおよびメモリは、第２のダウンリンク送信に関する第２のレート整合構成を決定するようにさらに構成され得る。いくつかの例において、第２のレート整合構成は、ＣＲＳ関連のレート整合無し、または第１のダウンリンク送信に関連付けられた第１のＣＲＳ関連のレート整合と比較してよりスパースなＣＲＳに関連付けられた第２のＣＲＳ関連のレート整合、または動的に存在するＣＲＳに関連付けられた第３のＣＲＳ関連のレート整合、または第１のダウンリンク送信に関連付けられた制御領域関連のレート整合と比較して制御領域関連のレート整合無し、またはそれらの組合せ、のうちの少なくとも１つを含み得る。
【００２２】
[0022]いくつかの例において、第１のセルＩＤは、第２のセルＩＤとは異なり得、通信することは、ダウンリンク無線周波数スペクトルバンドにおいて第１のセルＩＤに関連付けられた第１のＣＲＳを受信することと、アップリンク無線周波数スペクトルバンドにおいて第２のセルＩＤに関連付けられた第２のＣＲＳを受信することとを含み得る。いくつかの例において、第１のセルＩＤおよび第２のセルＩＤは、同じセルＩＤを含み得、通信することは、ダウンリンク無線周波数スペクトルバンドにおいて第１のセルＩＤに関連付けられた第１のＣＲＳを受信することと、アップリンク無線周波数スペクトルバンドにおいて第２のセルＩＤに関連付けられた第２のＣＲＳを受信することとを含み得る。いくつかの例において、プロセッサおよびメモリは、第１のダウンリンク送信に関する第１のＣＳＩフィードバックを決定することと、第２のダウンリンク送信に関する第２のＣＳＩフィードバックを決定することとを行うようにさらに構成され得る。いくつかの例において、通信することは、ＤＲＳを受信することを含み得る。いくつかの例において、ＤＲＳは、ダウンリンク無線周波数スペクトルバンドにおいて受信された少なくとも第１の基準信号およびアップリンク無線周波数スペクトルバンドにおいて受信された少なくとも第２の基準信号を含み得る。
【００２３】
[0023]１つの例において、ワイヤレス通信のためのコンピュータ実行可能コードを記憶する非一時的コンピュータ読取り可能媒体が説明される。コードは、対の無線周波数スペクトルバンドの第１の無線周波数スペクトルバンドにおける第１のダウンリンク送信に関連付けられた第１のセルＩＤを決定することと、対の無線周波数スペクトルバンドの第２の無線周波数スペクトルバンドにおける第２のダウンリンク送信に関連付けられた第２のセルＩＤを決定することと、第１のセルＩＤおよび第２のセルＩＤに少なくとも部分的に基づいて通信することとを行なうために、プロセッサによって、実行可能であり得る。
【００２４】
[0024]非一時的コンピュータ読取り可能媒体のいくつかの例において、第１の無線周波数スペクトルバンドは、ダウンリンク無線周波数スペクトルバンドを含み得、第２の無線周波数スペクトルバンドは、アップリンク無線周波数スペクトルバンドを含み得る。いくつかの例において、コードは、第２のダウンリンク送信に関する第２のＱＣＬ構成を決定することを行なうためにプロセッサによってさらに実行可能であり得る。いくつかの例において、第２のＱＣＬ構成は、ダウンリンク無線周波数スペクトルバンドにおいて受信された少なくとも第１の基準信号およびアップリンク無線周波数スペクトルバンドにおいて受信された少なくとも第２の基準信号を含み得る。
【００２５】
[0025]いくつかの例において、コードは、第２のダウンリンク送信に関する第２のレート整合構成を決定することを行なうためにプロセッサによってさらに実行可能であり得る。いくつかの例において、第２のレート整合構成は、ＣＲＳ関連のレート整合無し、または第１のダウンリンク送信に関連付けられた第１のＣＲＳ関連のレート整合と比較してよりスパースなＣＲＳに関連付けられた第２のＣＲＳ関連のレート整合、または動的に存在するＣＲＳに関連付けられた第３のＣＲＳ関連のレート整合、または第１のダウンリンク送信に関連付けられた制御領域関連のレート整合と比較して制御領域関連のレート整合無し、またはそれらの組合せ、のうちの少なくとも１つを含み得る。
【００２６】
[0026]前述のことは、後に続く詳細な説明がよりよく理解され得るように、本開示に従って、複数の例の技法および技術的利点を幾分広範に概説した。追加的な技法および利点は、以下に説明される。開示された観念および特定の例は、本開示の同じ目的を実行する（carrying out）ための他の構造を修正することおよび設計することへの根拠として（as a basis for）、容易に利用され得る。そのような同等の構造（construction）は、添付の特許請求の範囲から逸脱しない。本明細書で開示される概念の特性（characteristics）、それらの編成（organization）および動作の方法の両方は、関連する利点とともに、添付の図に関連して検討されたときに以下の説明からより良く理解されるであろう。図面の各々は、例示および説明を目的として提供され、特許請求の範囲の限定の定義としては提供されない。
【図面の簡単な説明】
【００２７】
[0027]本開示の特質および利点のさらなる理解が、以下の図面を参照することによって実現され得る。添付の図面では、同様のコンポーネントまたは特徴は、同じ参照ラベルを有し得る。さらに、同じタイプの様々なコンポーネントは、参照ラベルに、ダッシュと、同様のコンポーネント間を区別する第２のラベルとを後続させることによって区別され得る。本明細書中で、ただ第１の参照ラベルだけが使用される場合、その説明は、第２の参照ラベルに関係なく同じ第１の参照ラベルを有する同様の複数のコンポーネントのいずれか１つに適用可能である。
【図１】[0028]図１は、本開示の様々な態様に従って、ワイヤレス通信システムの例を例示する。
【図２】[0029]図２は、本開示の様々な態様に従って、無線フレームのための複数の時間ドメイン複信（ＴＤＤ）アップリンク−ダウンリンク構成を示す。
【図３】[0030]図３は、本開示の様々な態様に従って、協調マルチポイント（ＣｏＭＰ：Coordinated Multipoint）送信方式の例を示す。
【図４】[0031]図４は、本開示の様々な態様に従って、ワイヤレス通信における使用ための装置のブロック図を示す。
【図５】[0032]図５は、本開示の様々な態様に従って、ワイヤレス通信における使用ための装置のブロック図を示す。
【図６】[0033]図６は、本開示の様々な態様に従って、ワイヤレス通信における使用ための装置のブロック図を示す。
【図７】[0034]図７は、本開示の様々な態様に従って、ワイヤレス通信における使用ためのＵＥのブロック図を示す。
【図８】[0035]図８は、本開示の様々な態様に従う、ワイヤレス通信のための方法の例を例示するフローチャートである。
【図９】[0036]図９は、本開示の様々な態様に従う、ワイヤレス通信のための方法の例を例示するフローチャートである。
【図１０】[0037]図１０は、本開示の様々な態様に従う、ワイヤレス通信のための方法の例を例示するフローチャートである。
【詳細な説明】
【００２８】
[0038]セル識別子、疑似コロケーション構成、レート整合構成、および他のパラメータまたは情報が、ダウンリンク無線周波数スペクトルバンドにおける第１のダウンリンク送信およびアップリンク無線周波数スペクトルバンドにおける第２のダウンリンク送信に関して、別々に管理され得る技法が、説明される。ダウンリンク無線周波数スペクトルバンドは、アップリンク無線周波数スペクトルバンドと対であり得、いくつかの例において、ダウンリンク無線周波数スペクトルバンドおよびアップリンク無線周波数スペクトルバンドは、周波数ドメイン複信（ＦＤＤ）動作に関して対であり得る。
【００２９】
[0039]以下の説明は、複数の例を提供するものであり、特許請求の範囲に記載されている範囲、適用性、または複数の例を限定していない。複数の変更は、本開示の範囲から逸脱することなく、述べられる要素の機能および配置において行われ得る。様々な例は、適宜、様々なプロシージャまたはコンポーネントを省略、代用、あるいは追加し得る。例えば、説明される方法は、説明されるものとは異なる順序で行われ得、様々なステップは、追加、省略、または組み合わされ得る。また、いくつかの例に関して説明される特徴および技法は、他の例において組み合され得る。
【００３０】
[0040]図１は、本開示の様々な態様に従って、ワイヤレス通信システム１００の例を例示する。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを提供し得る。基地局１０５は、バックホールリンク１３２（例えば、Ｓ１、等）を通してコアネットワーク１３０とインターフェースし得、ＵＥ１１５との通信のためのスケジューリングおよび無線構成を行い得るか、または基地局コントローラ（図示せず）の制御下で動作し得る。様々な例では、基地局１０５は、直接的にまたは（例えば、コアネットワーク１３０を通して）間接的にのいずれかで、バックホールリンク１３４（例えば、Ｘ２、等）を通じて互いに通信し得、それはワイヤード（wired）またはワイヤレス通信リンクであり得る。
【００３１】
[0041]基地局１０５は、１つまたは複数の基地局アンテナを介してＵＥ１１５とワイヤレスに通信し得る。基地局１０５サイトの各々は、それぞれの地理的カバレッジエリア１１０に対して通信カバレッジを提供し得る。いくつかの例において、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の適切な用語で呼ばれ得る。基地局１０５のための地理的カバレッジエリア１１０は、そのカバレッジエリアの一部分を構成する（making up）複数のセクタに分割され得る（図示せず）。ワイヤレス通信システム１００は、異なるタイプの基地局１０５（例えば、マクロまたはスモールセル基地局）を含み得る。異なる技術のための重複する地理的カバレッジエリア１１０があり得る。
【００３２】
[0042]いくつかの例において、ワイヤレス通信システム１００は、ロングタームエボリューション（ＬＴＥ（登録商標））／ＬＴＥ−アドバンスト（ＬＴＥ−Ａ）ネットワークまたは次世代ネットワーク（例えば、５Ｇネットワーク）を含み得る。ＬＴＥ／ＬＴＥ−Ａネットワークでは、発展型ノードＢ（ｅＮＢ）という用語は、基地局１０５を説明するために使用され得、一方で、ＵＥという用語は、ＵＥ１１５を説明するために使用され得る。ワイヤレス通信システム１００は、異なるタイプの複数のｅＮＢが、そこにおいて様々な地理的領域（geographical regions）にカバレッジを提供する異種ネットワークであり得る。例えば、各ｅＮＢまたは基地局１０５は、マクロセル、スモールセル、または他の複数のタイプのセルに通信カバレッジを提供し得る。「セル」という用語は、文脈に応じて、基地局、基地局に関連付けられたコンポーネントキャリアまたはキャリア、あるいは基地局またはキャリアのカバレッジエリア（例えば、セクタ、等）を説明するために使用されることができる３ＧＰＰ（登録商標）用語である。
【００３３】
[0043]マクロセルは、比較的大きい地理的エリア（例えば、半径数キロメートル）をカバーし得、ネットワークプロバイダのサービスに加入しているＵＥによる無制限アクセスを可能にし得る。スモールセルは、マクロセルと同じまたは異なる（例えば、ライセンスの、共有の、等の）無線周波数スペクトルバンドにおいて動作し得る、マクロセルと比較すると、低電力基地局であり得る。スモールセルは、様々な例に従って、ピコセル、フェムトセル、およびマイクロセルを含み得る。ピコセルは、比較的より小さい地理的エリアをカバーし得、ネットワークプロバイダのサービスに加入しているＵＥによる無制限アクセスを可能にし得る。フェムトセルもまた、比較的小さい地理的エリア（例えば、自宅）をカバーし得、フェムトセルとのアソシエーションを有するＵＥ（例えば、限定加入者グループ（ＣＳＧ：closed subscriber group）中のＵＥ、自宅内のユーザのためのＵＥ、など）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢまたはホームｅＮＢと呼ばれ得る。ｅＮＢは、１つまたは複数（例えば、２つ、３つ、４つ、など）のセル（例えば、コンポーネントキャリア）をサポートし得る。
【００３４】
[0044]ワイヤレス通信システム１００は、同期動作または非同期動作をサポートし得る。同期動作の場合、複数の基地局は、同様のフレームタイミングを有し得、異なる基地局からの送信は、時間的におよそ揃えられ得る（approximately aligned in time）。非同期動作の場合、複数の基地局は、異なるフレームタイミングを有し得、異なる基地局からの送信は、時間的に揃えられないことがあり得る。本明細書で説明される複数の技法は、同期または非同期動作のいずれかに対して使用され得る。
【００３５】
[0045]様々な開示された複数の例のうちのいくつかに適合し（accommodate）得る複数の通信ネットワークは、階層化プロトコルスタック（a layered protocol stack）に従って動作するパケットベースのネットワーク（packet-based networks）であり得る。ユーザプレーン（user plane）において、ベアラ（bearer）またはパケットデータコンバージェンスプロトコル（ＰＤＣＰ：packet data convergence protocol）レイヤでの通信は、ＩＰベースであり得る。ラジオリンクコントロール（ＲＬＣ）レイヤは、論理チャネルを通じて通信するためにパケットセグメンテーション（packet segmentation）およびリアセンブリ（reassembly）を行い得る。媒体アクセスコントロール（ＭＡＣ）レイヤは、複数の論理チャネルの、複数のトランスポートチャネルへの多重化および優先対処（priority handling）を行い得る。ＭＡＣレイヤはまた、リンク効率（link efficiency）を改善するために、ＭＡＣレイヤで再送信を提供するためにハイブリッド自動再送要求（ＨＡＲＱ）を使用し得る。制御プレーンでは、無線リソース制御（ＲＲＣ：radio resource control）プロトコルレイヤが、ユーザプレーンデータのための無線ベアラをサポートするコアネットワーク１３０または基地局１０５とＵＥ１１５との間のＲＲＣ接続の確立と構成と保守とを提供し得る。物理（ＰＨＹ）レイヤにおいて、それらトランスポートチャネルは、物理チャネルにマッピングされ得る。
【００３６】
[0046]ＵＥ１１５は、ワイヤレス通信システム１００全体にわたって分散され得（dispersed）、各ＵＥ１１５は固定式または移動可能であり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な専門用語を含み得、あるいは、当業者によってそのように呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局、および同類のものなどを含め、様々なタイプのネットワーク機器および基地局と通信することが可能であり得る。
【００３７】
[0047]ワイヤレス通信システム１００に示された通信リンク１２５は、基地局１０５からＵＥ１１５へのダウンリンク送信、またはＵＥ１１５から基地局１０５へのアップリンク送信を含み得る。ダウンリンク送信はまた順方向リンク送信とも呼ばれ得、一方で、アップリンク送信はまた、逆方向リンク送信とも呼ばれ得る。
【００３８】
[0048]いくつかの例において、各通信リンク１２５は１つまたは複数のキャリアを含み得、ここで、各キャリアは、上記で説明された様々な無線技術に従って変調された複数のサブキャリア（例えば、異なる周波数の波形信号）からなる信号であり得る。各変調された信号は、異なるサブキャリア上で送られ得、制御情報（例えば、基準信号、制御チャネル、等）、オーバヘッド情報、ユーザデータ、等を搬送し得る。通信リンク１２５は、（例えば、対の無線周波数スペクトルリソースを使用する）ＦＤＤ動作または（例えば、対になっていない複数の無線周波数スペクトルリソースを使用する）時間ドメイン複信（ＴＤＤ）動作を使用して、双方向通信を送信し得る。ＦＤＤ動作のためのフレーム構造（例えば、フレーム構造タイプ１）およびＴＤＤ動作のためのフレーム構造（例えば、フレーム構造タイプ２）が定義され得る。
【００３９】
[0049]ワイヤレス通信システム１００のいくつかの例において、基地局１０５またはＵＥ１１５は、基地局１０５とＵＥ１１５との間で、通信品質および信頼性を改善するためにアンテナダイバーシチ方式を採用するための複数のアンテナを含み得る。追加的または代替的に、基地局１０５またはＵＥ１１５は、同じまたは異なるコード化されたデータを搬送する複数の空間レイヤを送信するために、マルチパス環境を活用し得る多入力多出力（ＭＩＭＯ）技法を採用し得る。
【００４０】
[0050]ワイヤレス通信システム１００は、複数のセルまたはキャリア上での動作、キャリアアグリゲーション（ＣＡ：carrier aggregation）またはデュアルコネクティビティ（dual-connectivity）動作と呼ばれ得る特徴をサポートし得る。キャリアは、コンポーネントキャリア（ＣＣ）、レイヤ、チャネル、等とも呼ばれ得る。「キャリア」、「コンポーネントキャリア」、「セル」、および「チャネル」という用語は、本明細書では交換可能に使用され得る。キャリアアグリゲーションは、ＦＤＤコンポーネントキャリアおよびＴＤＤコンポーネントキャリアの両方で使用され得る。
【００４１】
[0051]ネットワークにおいて、ＵＥ１１５は、キャリアアグリゲーションモードまたはデュアルコネクティビティモードにおいて動作するとき、５つまでのＣＣを使用して、通信するように構成され得る。ＣＣのうちの１つまたは複数は、ダウンリンクＣＣとして構成され得、ＣＣのうちの１つまたは複数は、アップリンクＣＣとして構成され得る。また、ＵＥ１１５に割り当てられたＣＣのうちの１つは、プライマリＣＣ（ＰＣＣ）として構成され得、ＵＥ１１５に割り当てられた残りのＣＣはセカンダリＣＣ（ＳＣＣ）として構成され得る。
【００４２】
[0052]図２は、本開示の様々な態様に従って、無線フレームのための複数のＴＤＤアップリンク−ダウンリンク構成２００を示す。ＴＤＤアップリンク−ダウンリンク構成は、基地局とＵＥとの間（例えば、図１を参照して説明される基地局１０５とＵＥ１１５との間）の通信のために使用され得、いくつかの例において、拡張干渉軽減およびトラフィックアダプテーション（traffic adaptation）（ｅＩＭＴＡ）に従って動作する基地局およびＵＥによって使用され得る。ＴＤＤアップリンク−ダウンリンク構成の各々は、アップリンク（Ｕ）サブフレームの数、ダウンリンク（Ｄ）サブフレームの数、および特別な（Ｓ）サブフレームの数を含み得る。ＴＤＤアップリンク−ダウンリンク構成は、Ｓサブフレームの間（または、それに続いて）ＤサブフレームからＵサブフレームに切り替わり得る。
【００４３】
[0053]例として、ＴＤＤアップリンク−ダウンリンク構成は、（０〜６とナンバリングされた）７つのＴＤＤアップリンク−ダウンリンク構成を含み得る。ＴＤＤアップリンク−ダウンリンク構成は、５ミリ秒（ｍｓ）の第１の切り替え周期性を有するＴＤＤアップリンク−ダウンリンク構成（例えば、ＴＤＤアップリンク−ダウンリンク構成０、１、２、および６）の第１のセット、および１０ｍｓの第２の切り替え周期性を有するＴＤＤアップリンク−ダウンリンク構成（例えば、ＴＤＤアップリンク−ダウンリンク構成３、４、および５）の第２のセットを含み得る。第１のセットにおける各ＴＤＤアップリンク−ダウンリンク構成は、一無線フレームごとに１つのＳサブフレームを含み得、第２のセットにおける各ＴＤＤアップリンク−ダウンリンク構成は、一無線フレームごとに２つのＳサブフレームを含み得る。
【００４４】
[0054]図３は、本開示の様々な態様に従って、協調マルチポイント（ＣｏＭＰ）送信方式の例３００を示す。ＣｏＭＰ送信方式の各々は、１つまたは複数の基地局とＵＥとの間（例えば、図１を参照して説明される複数の基地局１０５のうちの１つまたは複数と図１を参照して説明されるＵＥ１１５との間）の通信を提供し得る。例として、図３は、ダウンリンクＣｏＭＰ送信方式３１０、アップリンクＣｏＭＰ送信方式３１０−ａ、および協調ビームフォーミング（ＣＢＦ：coordinated beamforming）送信方式３１０−ｂを例示する。いくつかの例において、（１つまたは複数の）動的ポイント選択（ＤＰＳ）送信方式は、ダウンリンクＣｏＭＰ送信方式３１０、アップリンクＣｏＭＰ送信方式３１０−ａ、またはＣＢＦ送信方式３１０−ｂと併せて使用され得る。
【００４５】
[0055]ダウンリンクＣｏＭＰ送信方式３１０は、ＵＥ３１５に、複数の基地局またはｅＮＢから（例えば、第１の基地局３０５および第２の基地局３０５−ａから）データ（例えば、同じデータ）の協調送信（例えば、ジョイント送信）を可能にし得る。アップリンクＣｏＭＰ送信方式３１０−ａは、複数の基地局またはｅＮＢｓにおける（例えば、第３の基地局３０５−ｂおよび第４の基地局３０５−ｃにおける）、ＵＥ３１５−ａによって送信されたデータ（例えば、同じデータ）の協調受信（例えば、ジョイント受信）を可能にし得る。ダウンリンクＣｏＭＰおよびアップリンクＣｏＭＰは、一ＵＥに関して、別々にまたは共同で（jointly）可能にされ得る。ＣＢＦ送信方式３１０−ｂは、基地局３０５−ｄに複数のアンテナを使用してＵＥ３１５−ｂに送信することを可能にさせ得、そのアンテナは、近傍セルのＵＥへの干渉を減らすことができるビームを形成するように制御され得る。ＤＰＳ送信方式は、ダウンリンクＣｏＭＰ送信方式３１０、アップリンクＣｏＭＰ送信方式３１０−ａ、またはＣＢＦ送信方式３１０−ｂと併せて使用され得、１つのサブフレームから別のサブフレームへのダウンリンク送信またはアップリンク送信にかかわる（involved in）セルを変更することを伴い（involve）得る。
【００４６】
[0056]ＣｏＭＰ送信方式は、同種および／または異種ネットワーク（ＨｅｔＮｅｔ）において使用され得る。ＣｏＭＰ送信方式にかかわる基地局ノードは、例えば、Ｘ２インターフェースまたはファイバを使用して、結合され得る。ＨｅｔＮｅｔ  ＣｏＭＰ送信方式において、低電力ノードは、時々、リモート無線ヘッド（ＲＲＨ）と呼ばれ（called）得る。いくつかの例において、１つまたは複数の仮想セル識別子（ＶＣＩ）は、ＵＥにおいてより効率的なＣｏＭＰ動作を可能にするために、物理ダウンリンク共有チャネル（ＰＤＳＣＨ）復調基準信号（ＤＭ−ＲＳ）に関して構成され得る。例えば、ＵＥは、どのＶＣＩがサブフレームにおいてＰＤＳＣＨのために使用されるかを動的に示され得る。
【００４７】
[0057]いくつかの例において、セルＩＤは、以下のように管理され得る。ダウンリンク無線周波数スペクトルバンドにおけるダウンリンク送信に関して、物理ダウンリンク制御チャネル（ＰＤＣＣＨ）は、物理セル識別子（ＰＣＩ）に基づき得る。ＰＤＳＣＨ  ＤＭ−ＲＳは、ＰＣＩまたは（ＰＤＳＣＨデータスクランブリングが、ＰＣＩに基づいている）ＵＥのために構成された２つのＶＣＩのうちの１つに基づき得る。拡張ＰＤＣＣＨ（ＥＰＤＣＣＨ）ＤＭ−ＲＳは、ＰＣＩまたは（ＥＰＤＣＣＨデータスクランブリングが、ＰＣＩに基づいている）ＶＣＩに基づき得る。アップリンク無線周波数スペクトルバンドにおけるアップリンク送信に関して、物理アップリンク共有チャネル（ＰＵＳＣＨ）ＤＭ−ＲＳは、ＰＣＩまたは（ＰＵＳＣＨデータスクランブリングが、ＰＣＩに基づいている）ＵＥのために構成されたＶＣＩに基づき得る。同じＰＣＩは、同じセルのダウンリンク送信およびアップリンク送信の両方に対して使用され得る。
【００４８】
[0058]ＣｏＭＰ送信方式に関して、動的ＰＤＳＣＨレート整合および疑似コロケーション（ＱＣＬ）構成が、サポートされ得る。ＵＥは、ダウンリンク制御情報（ＤＣＩ）における２−ビットインジケータを介して、各ＰＤＳＣＨ送信ごとのレート整合パラメータのセットを示され得る。レート整合パラメータの各セットは、ＵＥに関して構成されたレート整合パラメータの最大４つのセットから選択され得る。動的ＰＤＳＣＨレート整合は、それにおいて、ＰＤＳＣＨの送信が、１つのセルから別のセルに動的に切り替えられ得る、ＤＰＳのような動作を容易にすることができる。ＱＣＬ構成に関連して、ＵＥは、時間および／または周波数トラッキングおよびＰＤＳＣＨ復調を容易にするために、ＤＭ−ＲＳおよびＣＲＳと疑似コロケートされる（quasi-co-located）と想定されることができるノンゼロパワー（non-zero-power）チャネル状態情報基準信号（ＣＳＩ−ＲＳ）を示され得る。
【００４９】
[0059]いくつかの例において、ＦＤＤモードにおいて第１のダウンリンク送信および第２のダウンリンク送信を使用して通信することは、役立ち得る。ここで、第１のダウンリンク送信は、対の無線周波数スペクトルバンドの第１の無線周波数スペクトルバンド（例えば、ダウンリンク無線周波数スペクトルバンド）において、送信／受信され、ここで、第２のダウンリンク送信は、対の無線周波数スペクトルバンドの第２の無線周波数スペクトルバンド（例えば、アップリンク無線周波数スペクトルバンド）において、送信／受信される。図２を参照して説明されるＴＤＤアップリンク−ダウンリンク構成と同様に、第１のダウンリンク送信および第２のダウンリンク送信は、ダウンリンク無線周波数スペクトルバンドおよびアップリンク無線周波数スペクトルバンドにおける動的トラフィック変動に適応的に適合し得る。第１のダウンリンク送信および第２のダウンリンク送信は、ダウンリンク制御送信および／またはダウンリンクデータ送信を含み得る。本開示において開示された技法は、例えば、第１のダウンリンク送信および第２のダウンリンク送信に関連付けられたセルＩＤ、ＱＣＬ構成、および／またはレート整合構成を管理するために使用され得る。
【００５０】
[0060]第１の無線周波数スペクトルバンド（例えば、ダウンリンク無線周波数スペクトルバンド）における第１のダウンリンク送信および第２の無線周波数スペクトルバンド（例えば、アップリンク無線周波数スペクトルバンド）における第２のダウンリンク送信は同じかまたは異なる送信電力制限または干渉特性に関連付けられ得る。例えば、ダウンリンク無線周波数スペクトルバンドにおける第１のダウンリンク送信は、４６ｄＢｍの最大送信電力に関連付けられ得、アップリンク無線周波数スペクトルバンドにおける第２のダウンリンク送信は、２３ｄＢｍの最大送信電力（すなわち、２３ｄＢｍまでの差）に関連付けられ得る。最大送信電力におけるそのような差は、第１のダウンリンク送信および第２のダウンリンク送信が異なるセル間干渉および／または異なるセルカバレッジエリアに関連付けられているという結果に終わり得、その差は、ＣｏＭＰ動作に重大なインパクトを持ち得る。しかしながら、スモールセルからの送信を含む例において、ダウンリンク無線周波数スペクトルバンドにおける第１のダウンリンク送信は、３０ｄＢｍの最大送信電力に関連付けられ得、アップリンク無線周波数スペクトルバンドにおける第２のダウンリンク送信は、２３ｄＢｍの最大送信電力に（すなわち、７ｄＢｍまでの差）に関連付けられ得る。（スモールセルに関する）最大送信電力におけるこのような差異はＣｏＭＰ動作に重要なインパクトを持たない可能性がある。
【００５１】
[0061]ダウンリンク無線周波数スペクトルバンドおよびアップリンク無線周波数スペクトルバンドにおけるダウンリンク送信に関連付けられた干渉特性に関連して、ダウンリンク無線周波数スペクトルバンドにおける第１のダウンリンク送信への干渉は、他のセル（例えば、他の基地局）のダウンリンク送信からであり得るが、アップリンク無線周波数スペクトルバンドにおける第２のダウンリンク送信への干渉は、他のセルのダウンリンク送信（例えば、他の基地局の送信）または他のセルのアップリンク送信（例えば、他のＵＥの送信）からであり得る。
【００５２】
[0062]対の無線周波数スペクトルバンドの第１の無線周波数スペクトルバンド（例えば、ダウンリンク無線周波数スペクトルバンド）および第２の無線周波数スペクトルバンド（例えば、アップリンク無線周波数スペクトルバンド）におけるダウンリンク送信に関連付けられたポテンシャルディファレンス（potential differences）（例えば、送信電力制限または干渉特性）を考慮すると、第１のダウンリンク送信および第２のダウンリンク送信に関連付けられた、セルＩＤ、ＱＣＬ構成、および／またはレート整合構成のうちの１つまたは複数は、（例えば、基地局およびＵＥによって）別々に管理され得る。
【００５３】
[0063]セルＩＤに関連して、ＵＥのためのセルＩＤ管理は、例えば、ダウンリンク無線周波数スペクトルバンドにおけるダウンリンク送信、アップリンク無線周波数スペクトルバンドにおけるダウンリンク送信、およびアップリンク無線周波数スペクトルバンドにおけるアップリンク送信に関するセルＩＤを決定することを含み得る。セルＩＤは、別々に決定され（または管理され）得るが、セルＩＤの２つ以上は、同じセルＩＤまたは異なるセルＩＤを含み得る。いくつかの例において、（例えば、ダウンリンク無線周波数スペクトルバンドにおける第１のダウンリンク送信に関する）第１のセルＩＤおよび（例えば、アップリンク無線周波数スペクトルバンドにおける第２のダウンリンク送信に関する）第２のセルＩＤは、同じＰＣＩまたは同じＶＣＩを含み得る。いくつかの例において、同じＶＣＩは、第１のダウンリンク送信および第２のダウンリンク送信に関するＣｏＭＰ動作が、同様である、スモールセルに関して有用であり得る。いくつかの例において、同じＰＣＩは、（例えば、ＶＣＩが構成されないときまたは使用されないとき）ダウンリンク無線周波数スペクトルバンドにおける第１のダウンリンク送信、アップリンク無線周波数スペクトルバンドにおける第２のダウンリンク送信、およびアップリンク無線周波数スペクトルバンドにおけるアップリンク送信に使用され得る。
【００５４】
[0064]ＱＣＬ構成およびレート整合構成に関連して、（ダウンリンク無線周波数スペクトルバンドにおける）第１のダウンリンク送信に関する第１のＱＣＬ構成および第１のレート整合構成および（アップリンク無線周波数スペクトルバンドにおける）第２のダウンリンク送信に関する第２のＱＣＬ構成および第２のレート整合構成は、ＵＥによって決定され得る。第１のＱＣＬ構成および第２のＱＣＬ構成が、別々に決定され（または管理され）得、第１のレート整合構成および第２のレート整合構成は、別々に決定され（または管理され）得るが、第２のＱＣＬ構成は、いくつかの例において、第１のＱＣＬ構成に基づいて、決定され得、第２のレート整合構成は、いくつかの例において、第１のレート整合構成に基づいて、決定され得る。
【００５５】
[0065]第１のＱＣＬ構成および第２のＱＣＬ構成のいくつかのパラメータは、たとえ第２のＱＣＬ構成が、第１のＱＣＬ構成に基づいて決定されるとき、または第２のレート整合構成が、第１のレート整合構成に基づいて決定されるときであっても、第１のレート整合構成および第２のレート整合構成のパラメータが異なり得るように、異なり得る。例えば、アップリンク無線周波数スペクトルバンドにおけるダウンリンク送信に関して、ＣＲＳ関連のレート整合無しである可能性があるか、またはダウンリンク無線周波数スペクトルバンドにおけるダウンリンク送信に関するＣＲＳ関連のレート整合とは異なる、ＣＲＳ関連のレート整合がある可能性がある。
【００５６】
[0066]ＣＲＳ関連のレート整合の異なる構成に関連して、ＣＲＳは、アップリンク無線周波数スペクトルバンドにおけるただいくつかのダウンリンク送信において提供され得る。例えば、第２のレート整合構成は、ダウンリンク無線周波数スペクトルバンドにおけるダウンリンク送信に関連付けられた第１のＣＲＳ関連のレート整合と比較して、よりスパースなＣＲＳに関連付けられた第２のＣＲＳ関連のレート整合、または動的に存在するＣＲＳに関連付けられた第３のＣＲＳ関連のレート整合のうちの少なくとも１つを含み得る。アップリンク無線周波数スペクトルバンドにおけるただいくつかのダウンリンク送信において、ＣＲＳが提供されるとき、ダウンリンク無線周波数スペクトルバンドにおける第１のダウンリンク送信において提供されるＣＲＳの周りの（around）ＰＤＳＣＨレート整合は、アップリンク無線周波数スペクトルバンドにおける第２のダウンリンク送信において提供されるＣＲＳの周りのＰＤＳＣＨレート整合とは、異なり得る。
【００５７】
[0067]ダウンリンク無線周波数スペクトルバンドにおけるダウンリンク送信に関して、少なくとも１つの制御シンボル期間（例えば、ＯＦＤＭシンボル期間）は、制御領域に、割り当てられ得、およびＰＤＳＣＨおよびＥＰＤＣＣＨは、制御領域にマッピングされる変調シンボルを有さない可能性がある。いくつかの例において、ダウンリンク無線周波数スペクトルバンドにおけるダウンリンク送信に割り当てられた制御領域は、アップリンク無線周波数スペクトルバンドにおいてダウンリンク送信をスケジューリングするために、使用され得（例えば、クロススペクトルスケジューリングがアップリンク無線周波数スペクトルバンドにおけるダウンリンク送信に対して提供され得る）。いくつかの例において、ダウンリンク無線周波数スペクトルバンドにおけるダウンリンク送信において割り当てられた制御領域の部分は、ダウンリンク無線周波数スペクトルバンドにおいて、レガシ送信をスケジューリングするために割り当てられ得る。他の例において、レガシ送信をスケジューリングするために割り当てられた制御領域の部分は、アップリンク無線周波数スペクトルバンドにおけるダウンリンク送信のクロススペクトル（cross-spectrum）スケジューリングのために代わりに割り当てられ得る（すなわち、制御領域の同じ部分は、ダウンリンク無線周波数スペクトルバンドにおいてレガシ送信に関するスケジューリングまたはアップリンク無線周波数スペクトルバンドにおいてダウンリンク送信に関するスケジューリングを提供するために使用され得る）。
【００５８】
[0068]いくつかの例において、ダウンリンク無線周波数スペクトルバンドにおける第１のダウンリンク送信に関する第１のＱＣＬ構成は、アップリンク無線周波数スペクトルバンドにおける第２のダウンリンク送信に関する第２のＱＣＬ構成の対応するパラメータとは異なる少なくとも１つのパラメータを含み得る。例えば、第１のＱＣＬ構成は、ダウンリンク無線周波数スペクトルバンドにおいて送信／受信された少なくとも１つの基準信号を含み得、第２のＱＣＬ構成は、ダウンリンク無線周波数スペクトルバンドにおいて送信／受信された少なくとも第１の基準信号およびアップリンク無線周波数スペクトルバンドにおいて送信／受信された少なくとも第２の基準信号を含み得る（例えば、クロススペクトルＱＣＬ動作は、第２のダウンリンク送信のために提供され得る）。いくつかの例において、第１のＱＣＬ構成は、ダウンリンク無線周波数スペクトルバンドにおいてＣＲＳ、ＤＭ−ＲＳ、またはＣＳＩ−ＲＳを含み得る。
【００５９】
[0069]いくつかの例において、第２のＱＣＬ構成の少なくとも第１の基準信号は、ＣＲＳまたはＣＳＩ−ＲＳのうちの少なくとも１つを含み得、第２のＱＣＬ構成の少なくとも第２の基準信号は、ＤＭ−ＲＳまたはＳＲＳのうちの少なくとも１つを含み得る。代替例において、第２のＱＣＬ構成の少なくとも第１の基準信号は、ＣＲＳのうちの少なくとも１つを含み得、第２のＱＣＬ構成の少なくとも第２の基準信号は、ＤＭ−ＲＳまたはＣＳＩ−ＲＳのうちの少なくとも１つを含み得る。別の代替例では、第２のＱＣＬ構成は、アップリンク無線周波数スペクトルバンドにおいてＣＲＳ、ＤＭ−ＲＳ、およびＣＳＩ−ＲＳを含み得るが、アップリンク無線周波数スペクトルバンドにおけるＣＲＳは、ダウンリンク無線周波数スペクトルバンドにおけるＣＲＳよりもよりスパースであり得る。別の代替では、ダウンリンク無線周波数スペクトルバンドにおける少なくとも第１の基準信号は、ＣＲＳおよびＣＳＩ−ＲＳを含み得、アップリンク無線周波数スペクトルバンドにおける少なくとも第２の基準信号は、ＤＭ−ＲＳを含み得る。ＣＲＳが、ダウンリンク無線周波数スペクトルバンドにおける第１のダウンリンク送信およびアップリンク無線周波数スペクトルバンドにおける第２のダウンリンク送信の両方に対して提供されるとき、同じセルＩＤまたは異なるセルＩＤは、異なるＣＲＳに関連付けられ得る。
【００６０】
[0070]いくつかの例において、第１のＣＳＩフィードバックは、ダウンリンク無線周波数スペクトルバンドにおける第１のダウンリンク送信に関して決定され得、第２のＣＳＩフィードバックは、アップリンク無線周波数スペクトルバンドにおける第２のダウンリンク送信に関して決定され得る（例えば、第１のダウンリンク送信に関する第１のＣＳＩフィードバックおよび第２のダウンリンク送信に関する第２のＣＳＩフィードバックは、別々に管理され得る）。いくつかの例において、第１のＣＳＩフィードバックは、ダウンリンク無線周波数スペクトルバンドにおけるＣＳＩ−ＲＳに基づき得、第２のＣＳＩフィードバックは、アップリンク無線周波数スペクトルバンドにおけるＳＲＳに基づき得る。いくつかの例において、ＳＲＳに関するアンテナポートの数が、異なるサイクリックシフトおよび／または周波数コームを使用して、４つから８つに増やされ得る。
【００６１】
[0071]いくつかの例において、復調基準信号（ＤＲＳ）は、ダウンリンク動作のためのアップリンク無線周波数スペクトルバンドにおいて、少なくとも部分的に送信され／受信され得る。例えば、ＤＲＳは、ダウンリンク無線周波数スペクトルバンドにおいて送信／受信された少なくとも第１の基準信号、およびアップリンク無線周波数スペクトルバンドにおいて送信／受信された少なくとも第２の基準信号を含み得る。いくつかの例において、少なくとも第１の基準信号は、プライマリ同期信号（ＰＳＳ）、またはセカンダリ同期信号（ＳＳＳ）、またはＣＲＳのうちの少なくとも１つを含み得、少なくとも第２の基準信号は、ＣＳＩ−ＲＳまたはＳＲＳのうちの少なくとも１つを含み得る。いくつかの例において、少なくとも第１の基準信号は、第１のセルＩＤに関連付けられ、少なくとも第２の基準信号は、第２のセルＩＤに関連付けられ得る。第１のセルＩＤおよび第２のセルＩＤは、同じセルＩＤまたは異なるセルＩＤを含み得る（例えば、セルＩＤは、別々に管理され得る）。
【００６２】
[0072]いくつかの事例において、ＰＵＳＣＨは、４レイヤ（４−レイヤ）のＭＩＭＯ動作をサポートし得、４レイヤのＤＭ−ＲＳは、異なるサイクリックシフト（例えば、４つのレイヤに対して、０、３、６、および９のサイクリックシフト値）によって区別されている（being differentiated by）。アップリンク無線周波数スペクトルバンドにおけるダウンリンク送信が、アップリンク波形（例えば、ＰＵＳＣＨ）に基づくとき、８レイヤ（８−レイヤ）のシングルユーザＭＩＭＯ（ＳＵ−ＭＩＭＯ）動作のためのサポートが望ましい可能性がある。いくつかの例において、８レイヤのＳＵ−ＭＩＭＯ送信は、ダウンリンク送信を、サブフレームの第１のスロットおよび第２のスロットの各々における８つの異なるサイクリックシフト、第１のスロットにおける４つの異なるサイクリックシフトの第１のセットおよび第２のスロットにおける４つの異なるサイクリックシフトの第２のセット、第１の周波数コームにおける４つの異なるサイクリックシフトの第１のセットおよび第２の周波数コームにおける４つの異なるサイクリックシフトの第２のセット、またはそれらの組合せ、のうちの少なくとも１つに関連付けることによってサポートされ得る。
【００６３】
[0073]図４は、本開示の様々な態様に従って、ワイヤレス通信における使用のための装置４１５のブロック図４００を示す。装置４１５は、図１または３を参照して説明されるＵＥ１１５、３１５、３１５−ａ、または３１５−ｂのうちの１つまたは複数の態様の例であり得る。装置は４１５はまた、プロセッサであるか、またはそれを含み得る。装置４１５は、受信機４１０、ワイヤレス通信マネージャ４２０、または送信機４３０を含み得る。これらのコンポーネントの各々は、互いに通信状態にあり得る。
【００６４】
[0074]装置４１５のコンポーネントは、適用可能な機能のいくつかまたは全てをハードウェアにおいて行うように適応された１つまたは複数の特定用途向け集積回路（ＡＳＩＣ）を使用して、個々にまたは集合的にインプリメントされ得る。代替的に、それら機能は、１つまたは複数の集積回路上で、１つまたは複数の他の処理ユニット（または、コア）によって行われ得る。他の例において、他のタイプの集積回路（例えば、ストラクチャード／プラットフォームＡＳＩＣ、フィールドプログラマブルゲートアレイ（ＦＰＧＡ）、システムオンチップ（ＳｏＣ）、および／または他のタイプのセミカスタムＩＣ）が使用され得、それらは、当該技術において知られている任意の方式でプログラムされ得る。各コンポーネントの機能はまた、全体的にあるいは部分的に、メモリ中で具現化された命令でインプリメントされ、１つまたは複数の汎用あるいは特定用途向けプロセッサによって実行されるようにフォーマットされ得る。
【００６５】
[0075]いくつかの例において、受信機４１０は、１つまたは複数の無線周波数スペクトルバンドを通じて送信を受信するように動作可能である少なくとも１つの無線周波数受信機のような、少なくとも１つの無線周波数受信機を含み得る。いくつかの例において、無線周波数スペクトルバンドのうちの１つまたは複数は、例えば、図１、２、または３を参照して説明されるように、ワイヤレス通信のために使用され得る。受信機４１０は、図１または３を参照して説明されるワイヤレス通信システム１００または３００の１つまたは複数の通信リンクのような、ワイヤレス通信システムの１つまたは複数の通信リンクにわたって、様々なタイプのデータまたは制御信号（すなわち、送信）を受信するために使用され得る。
【００６６】
[0076]いくつかの例において、送信機４３０は、１つまたは複数の無線周波数スペクトルバンドを通じて送信するように動作可能な少なくとも１つの無線周波数送信機のような、少なくとも１つの無線周波数送信機を含み得る。送信機４３０は、図１または３を参照して説明されるワイヤレス通信システム１００または３００の１つまたは複数の通信リンクのような、ワイヤレス通信システムの１つまたは複数の通信リンクにわたって、様々なタイプのデータまたは制御信号（すなわち、送信）を送信するために使用され得る。
【００６７】
[0077]いくつかの例において、ワイヤレス通信マネージャ４２０は、装置４１５のためのワイヤレス通信の１つまたは複数の態様を管理するために使用され得る。いくつかの例において、ワイヤレス通信マネージャ４２０の部分は、受信機４１０または送信機４３０に組み込まれ得るか、またはそれらと共有され得る。いくつかの例において、ワイヤレス通信マネージャ４２０は、無線周波数スペクトルセルＩＤ決定器４３５を含み得る。
【００６８】
[0078]無線周波数スペクトルセルＩＤ決定器４３５は、対の無線周波数スペクトルバンドの第１の無線周波数スペクトルバンドにおける第１のダウンリンク送信に関連付けられた第１のセルＩＤを決定するために使用され得る。無線周波数スペクトルセルＩＤ決定器４３５はまた、対の無線周波数スペクトルバンドの第２の無線周波数スペクトルバンドにおける第２のダウンリンク送信に関連付けられた第２のセルＩＤを決定するために使用され得る。ワイヤレス通信マネージャ４２０は、第１のセルＩＤおよび／または第２のセルＩＤに基づいて通信し得る。
【００６９】
[0079]装置４１５のいくつかの例において、第１の無線周波数スペクトルバンドは、ダウンリンク無線周波数スペクトルバンドを含み得、第２の無線周波数スペクトルバンドは、アップリンク無線周波数スペクトルバンドを含み得る。いくつかの例において、第１の無線周波数スペクトルバンドおよび第２の無線周波数スペクトルバンドは、異なる送信電力制限、異なる干渉特性、またはそれらの組合せ、のうちの少なくとも１つに関連付けられ得る。代替的に、第１の無線周波数スペクトルバンドおよび第２の無線周波数スペクトルバンドは、電力制限の同じセットに関連付けられ得、および／または第１の無線周波数スペクトルバンドおよび第２の無線周波数スペクトルバンドは、干渉特性の同じセットに関連付けられ得る。第１のセルＩＤおよび第２のセルＩＤは、同じセルＩＤまたは異なるセルＩＤを含み得る。いくつかの例において、第１のセルＩＤおよび第２のセルＩＤは、同じＰＣＩまたは同じＶＣＩを含み得る。
【００７０】
[0080]図５は、本開示の様々な態様に従って、ワイヤレス通信における使用ための装置５１５のブロック図５００を示す。装置５１５は、図１または３を参照して説明されるＵＥ１１５、３１５、３１５−ａ、または３１５−ｂのうちの１つまたは複数の態様、または、図４を参照して説明される装置４１５の態様の例であり得る。装置５１５はまた、プロセッサであるか、またはそれを含み得る。装置５１５は、受信機５１０、ワイヤレス通信マネージャ５２０、または送信機５３０を含み得る。これらのコンポーネントの各々は、互いに通信状態にあり得る。
【００７１】
[0081]装置５１５のコンポーネントは、適用可能な機能のいくつかまたは全てをハードウェアにおいて行うように適応された１つまたは複数のＡＳＩＣを使用して、個々にまたは集合的にインプリメントされ得る。代替的に、それら機能は、１つまたは複数の集積回路上で、１つまたは複数の他の処理ユニット（または、コア）によって行われ得る。他の例において、他のタイプの集積回路（例えば、ストラクチャード／プラットフォームＡＳＩＣ、ＦＰＧＡ、ＳｏＣ、および／または他のタイプのセミカスタムＩＣ）が使用され得、それらは、当該技術において知られている任意の方式でプログラムされ得る。各コンポーネントの機能はまた、全体的にあるいは部分的に、メモリ中で具現化された命令でインプリメントされ得、１つまたは複数の汎用あるいは特定用途向けプロセッサによって実行されるようにフォーマットされ得る。
【００７２】
[0082]いくつかの例において、受信機５１０は、１つまたは複数の無線周波数スペクトルバンドを通じて送信を受信するように動作可能である少なくとも１つの無線周波数受信機のような、少なくとも１つの無線周波数受信機を含み得る。いくつかの例において、無線周波数スペクトルバンドのうちの１つまたは複数は、例えば、図１、２、または３を参照して説明されるように、ワイヤレス通信のために使用され得る。受信機５１０は、図１または３を参照して説明されるワイヤレス通信システム１００または３００の１つまたは複数の通信リンクのような、ワイヤレス通信システムの１つまたは複数の通信リンクにわたって、様々なタイプのデータまたは制御信号（すなわち、送信）を受信するために使用され得る。
【００７３】
[0083]いくつかの例において、送信機５３０は、１つまたは複数の無線周波数スペクトルバンドを通じて送信するように動作可能な少なくとも１つの無線周波数送信機のような、少なくとも１つの無線周波数送信機を含み得る。送信機５３０は、図１または３を参照して説明されるワイヤレス通信システム１００または３００の１つまたは複数の通信リンクのような、ワイヤレス通信システムの１つまたは複数の通信リンクにわたって、様々なタイプのデータまたは制御信号（すなわち、送信）を送信するために使用され得る。
【００７４】
[0084]いくつかの例において、ワイヤレス通信マネージャ５２０は、装置５１５のためのワイヤレス通信の１つまたは複数の態様を管理するために使用され得る。いくつかの例において、ワイヤレス通信マネージャ５２０の部分は、受信機５１０または送信機５３０に組み込まれ得るか、またはそれらと共有され得る。いくつかの例において、ワイヤレス通信マネージャ５２０は、無線周波数スペクトルセルＩＤ決定器５３５、無線周波数スペクトルＱＣＬ構成決定器５４０、無線周波数スペクトルレート整合構成決定器５４５、ＤＲＳプロセッサ５５０、ＣＲＳプロセッサ５５５、ＣＳＩ−ＲＳプロセッサ５６０、ＳＲＳプロセッサ５６５、またはＣＳＩフィードバック決定器５７０を含み得る。
【００７５】
[0085]無線周波数スペクトルセルＩＤ決定器５３５は、対の無線周波数スペクトルバンドのダウンリンク無線周波数スペクトルバンドにおける第１のダウンリンク送信に関連付けられた第１のセルＩＤを決定するために使用され得る。無線周波数スペクトルセルＩＤ決定器５３５はまた、対の無線周波数スペクトルバンドのアップリンク無線周波数スペクトルバンドにおける第２のダウンリンク送信に関連付けられた第２のセルＩＤを決定するために使用され得る。
【００７６】
[0086]装置５１５のいくつかの例において、ダウンリンク無線周波数スペクトルバンドおよびアップリンク無線周波数スペクトルバンドは、異なる送信電力制限、異なる干渉特性、またはそれらの組合せ、のうちの少なくとも１つに関連付けられ得る。代替的に、ダウンリンク無線周波数スペクトルバンドおよびアップリンク無線周波数スペクトルバンドは、電力制限の同じセットに関連付けられ得、および／またはダウンリンク無線周波数スペクトルバンドおよびアップリンク無線周波数スペクトルバンドは、干渉特性の同じセットに関連付けられ得る。第１のセルＩＤおよび第２のセルＩＤは、同じセルＩＤまたは異なるセルＩＤを含み得る。いくつかの例において、第１のセルＩＤおよび第２のセルＩＤは、同じＰＣＩまたは同じＶＣＩを含み得る。
【００７７】
[0087]無線周波数スペクトルＱＣＬ構成決定器５４０は、第１のダウンリンク送信に関する第１のＱＣＬ構成、または第２のダウンリンク送信に関する第２のＱＣＬ構成を決定するために使用され得る。いくつかの例において、無線周波数スペクトルＱＣＬ構成決定器５４０は、第１のＱＣＬ構成に基づいて、第２のＱＣＬ構成を決定し得る。いくつかの例において、第２のＱＣＬ構成は、第１のＱＣＬ構成の対応する少なくとも１つのパラメータとは異なる少なくとも１つのパラメータを含み得る。例えば、第１のＱＣＬ構成は、ダウンリンク無線周波数スペクトルバンドにおいて送信／受信された少なくとも１つの基準信号を含み得、第２のＱＣＬ構成は、ダウンリンク無線周波数スペクトルバンドにおいて送信／受信された少なくとも第１の基準信号およびアップリンク無線周波数スペクトルバンドにおいて送信／受信された少なくとも第２の基準信号を含み得る。いくつかの例において、少なくとも第１の基準信号は、ＣＲＳまたはＣＳＩ−ＲＳのうちの少なくとも１つを含み得、少なくとも第２の基準信号は、ＤＭ−ＲＳまたはＳＲＳのうちの少なくとも１つを含み得る。
【００７８】
[0088]装置５１５のいくつかの例において、第２のＱＣＬ構成は、第１のＱＣＬ構成の対応する少なくとも１つのパラメータとは異なる少なくとも１つのパラメータを含み得る。例えば、第１のＱＣＬ構成は、ダウンリンク無線周波数スペクトルバンドにおいて送信／受信された少なくとも１つの基準信号を含み得、第２のＱＣＬ構成は、ダウンリンク無線周波数スペクトルバンドにおいて送信／受信された少なくとも第１の基準信号およびアップリンク無線周波数スペクトルバンドにおいて送信／受信された少なくとも第２の基準信号を含み得る。いくつかの例において、少なくとも第１の基準信号は、ＣＲＳまたはＣＳＩ−ＲＳのうちの少なくとも１つを含み得、少なくとも第２の基準信号は、ＤＭ−ＲＳまたはＳＲＳのうちの少なくとも１つを含み得る。
【００７９】
[0089]無線周波数スペクトルレート整合構成決定器５４５は、第１のダウンリンク送信に関する第１のレート整合構成または第２のダウンリンク送信に関する第２のレート整合構成を決定するために使用され得る。いくつかの例において、無線周波数スペクトルレート整合構成決定器５４５は、第１のレート整合構成に基づいて、第２のレート整合構成を決定し得る。いくつかの例において、第２のレート整合構成は、ＣＲＳ関連のレート整合無し、または第１のレート整合構成に関連付けられた第１のＣＲＳ関連のレート整合と比較してよりスパースなＣＲＳに関連付けられた第２のＣＲＳ関連のレート整合、または動的に存在するＣＲＳに関連付けられた第３のＣＲＳ関連のレート整合、または第１のダウンリンク送信に関連付けられた制御領域関連のレート整合と比較して制御領域関連のレート整合無し、またはそれらの組合せ、のうちの少なくとも１つを含み得る。
【００８０】
[0090]いくつかの例において、ワイヤレス通信マネージャ５２０は、第１のセルＩＤおよび／または第２のセルＩＤ、第１のＱＣＬ構成および／または第２のＱＣＬ構成、ならびに／あるいは第１のレート整合構成および／または第２のレート整合構成に基づいて、（例えば、１つまたは複数の基地局と）通信するために使用され得る。
【００８１】
[0091]ＤＲＳプロセッサ５５０は、ＤＲＳを受信するために使用され得る。いくつかの例において、ＤＲＳは、ダウンリンク無線周波数スペクトルバンドにおいて受信された少なくとも第１の基準信号およびアップリンク無線周波数スペクトルバンドにおいて受信された少なくとも第２の基準信号を含み得る。いくつかの例において、少なくとも第１の基準信号は、ＰＳＳまたはＳＳＳまたはＣＲＳのうちの少なくとも１つを含み得、少なくとも第２の基準信号は、ＣＳＩ−ＲＳまたはＳＲＳのうちの少なくとも１つを含み得る。いくつかの例において、少なくとも第１の基準信号は、第１のセルＩＤに関連付けられ、少なくとも第２の基準信号は、第２のセルＩＤに関連付けられ得る。
【００８２】
[0092]ＣＲＳプロセッサ５５５は、ダウンリンク無線周波数スペクトルバンドにおいて第１のセルＩＤに関連付けられた第１のＣＲＳを受信するために、および／またはアップリンク無線周波数スペクトルバンドにおいて第２のセルＩＤに関連付けられた第２のＣＲＳを受信するために、使用され得る。いくつかの例において、第１のＣＲＳおよび第２のＣＲＳは、それぞれ、第１のＤＲＳおよび第２のＤＲＳの部分として、受信され得る。
【００８３】
[0093]ＣＳＩ−ＲＳプロセッサ５６０は、ダウンリンク無線周波数スペクトルバンドにおいてＣＳＩ−ＲＳを受信するために使用され得る。いくつかの例において、ＣＳＩ−ＲＳは、第１のセルＩＤに関連付けられ得る。いくつかの例において、ＣＳＩ−ＲＳは、第１のＤＲＳの部分として、受信され得る。ＳＲＳプロセッサ５６５は、アップリンク無線周波数スペクトルバンドにおいてＳＲＳを受信するために使用され得る。いくつかの例において、ＳＲＳは、第２のセルＩＤに関連付けられ得る。いくつかの例において、ＳＲＳは、第２のＤＲＳの部分として受信され得る。
【００８４】
[0094]ＣＳＩフィードバック決定器５７０は、第１のダウンリンク送信に関する第１のＣＳＩフィードバック、または第２のダウンリンク送信に関する第２のＣＳＩフィードバックを決定するために使用され得る。いくつかの例において、第１のＣＳＩフィードバックは、ＣＳＩ−ＲＳプロセッサ５６０によって受信されたＣＳＩ−ＲＳに基づき得、第２のＣＳＩフィードバックは、ＳＲＳプロセッサ５６５によって受信されたＳＲＳに基づき得る。
【００８５】
[0095]図６は、本開示の様々な態様に従って、ワイヤレス通信における使用のための装置６１５のブロック図６００を示す。装置６１５は、図１または３を参照して説明されるＵＥ１１５、３１５、３１５−ａ、または３１５−ｂのうちの１つまたは複数の態様の例であり得る。装置６１５はまた、プロセッサであるか、またはそれを含み得る。装置６１５は、受信機６１０、ワイヤレス通信マネージャ６２０、または送信機６３０を含み得る。これらのコンポーネントの各々は、互いに通信状態にあり得る。
【００８６】
[0096]装置６１５のコンポーネントは、適用可能な機能のいくつかまたは全てをハードウェアにおいて行うように適応された１つまたは複数のＡＳＩＣを使用して、個々にまたは集合的にインプリメントされ得る。代替的に、それら機能は、１つまたは複数の集積回路上で、１つまたは複数の他の処理ユニット（または、コア）によって行われ得る。他の例において、他のタイプの集積回路（例えば、ストラクチャード／プラットフォームＡＳＩＣ、ＦＰＧＡ、ＳｏＣ、および／または他のタイプのセミカスタムＩＣ）が使用され得、それらは、当該技術において知られている任意の方式でプログラムされ得る。各コンポーネントの機能はまた、全体的にあるいは部分的に、メモリ中で具現化された命令でインプリメントされ得、１つまたは複数の汎用あるいは特定用途向けプロセッサによって実行されるようにフォーマットされ得る。
【００８７】
[0097]いくつかの例において、受信機６１０は、１つまたは複数の無線周波数スペクトルバンドを通じて送信を受信するように動作可能である少なくとも１つの無線周波数受信機のような、少なくとも１つの無線周波数受信機を含み得る。いくつかの例において、無線周波数スペクトルバンドのうちの１つまたは複数は、例えば、図１、２、または３を参照して説明されるように、ワイヤレス通信のために使用され得る。受信機６１０は、図１または３を参照して説明されるワイヤレス通信システム１００または３００の１つまたは複数の通信リンクのような、ワイヤレス通信システムの１つまたは複数の通信リンクにわたって、様々なタイプのデータまたは制御信号（すなわち、送信）を受信するために使用され得る。
【００８８】
[0098]いくつかの例において、送信機６３０は、１つまたは複数の無線周波数スペクトルバンドを通じて送信するように動作可能な少なくとも１つの無線周波数送信機のような、少なくとも１つの無線周波数送信機を含み得る。送信機６３０は、図１または３を参照して説明されるワイヤレス通信システム１００または３００の１つまたは複数の通信リンクのような、ワイヤレス通信システムの１つまたは複数の通信リンクにわたって、様々なタイプのデータまたは制御信号（すなわち、送信）を送信するために使用され得る。
【００８９】
[0099]いくつかの例において、ワイヤレス通信マネージャ６２０は、装置６１５のためのワイヤレス通信の１つまたは複数の態様を管理するために使用され得る。いくつかの例において、ワイヤレス通信マネージャ６２０の部分は、受信機６１０または送信機６３０に組み込まれ得るか、またはそれらと共有され得る。いくつかの例において、ワイヤレス通信マネージャ６２０は、無線周波数スペクトルセルＩＤ決定器６３５またはダウンリンク送信マネージャ６４０を含み得る。
【００９０】
[0100]無線周波数スペクトルセルＩＤ決定器６３５は、アップリンク無線周波数スペクトルバンドにおけるダウンリンク送信に関連付けられたセルＩＤを決定するために使用され得る。ダウンリンク送信マネージャ６４０は、アップリンク無線周波数スペクトルバンドのサブフレームにおいて、ダウンリンク送信を受信するために使用され得る。ダウンリンク送信は、セルＩＤおよびＰＵＳＣＨのフォーマットに基づき得、８レイヤのＳＵ−ＭＩＭＯ送信を含み得る。いくつかの例において、ダウンリンク送信は、サブフレームの第１のスロットおよび第２のスロットの各々における８つの異なるサイクリックシフト、第１のスロットにおける４つの異なるサイクリックシフトの第１のセットおよび第２のスロットにおける４つの異なるサイクリックシフトの第２のセット、第１の周波数コームにおける４つの異なるサイクリックシフトの第１のセットおよび第２の周波数コームにおける４つの異なるサイクリックシフトの第２のセット、またはそれらの組合せ、のうちの少なくとも１つに関連付けられ得る。
【００９１】
[0101]図７は、本開示の様々な態様に従って、ワイヤレス通信における使用ためのＵＥ７１５のブロック図７００を示す。ＵＥ７１５は、パーソナルコンピュータ（例えば、ラップトップコンピュータ、ネットブックコンピュータ、タブレットコンピュータ、等）、セルラ電話、ＰＤＡ、ＤＶＲ、インターネットアプライアンス、ゲーミングコンソール、ｅ−リーダ、等に含まれ得るか、または、それらの部分であり得る。ＵＥ７１５は、いくつかの例において、モバイル動作を容易にするために、小さなバッテリのような、内部電源（図示せず）を有し得る。いくつかの例において、ＵＥ７１５は、図１または３を参照して説明されるＵＥ１１５、３１５、３１５−ａ、または３１５−ｂのうちの１つまたは複数の態様、または、図４、５、または６を参照して説明される装置４１５、５１５、または６１５の態様の例であり得る。ＵＥ７１５は、図１、２、３、４、５、または６を参照して説明されるＵＥまたは装置の技法および機能のうちの少なくともいくつかをインプリメントするように構成され得る。
【００９２】
[0102]ＵＥ７１５は、ＵＥプロセッサ７１０、ＵＥメモリ７２０、（（１つまたは複数の）ＵＥトランシーバ７３０によって表される））少なくとも１つのＵＥトランシーバ、（（１つまたは複数の）ＵＥアンテナ７４０によって表される）少なくとも１つのＵＥアンテナ、またはＵＥワイヤレス通信マネージャ７５０を含み得る。これらのコンポーネントの各々は、直接的または間接的に、１つまたは複数のバス７３５を通じて互いに通信状態にあり得る。
【００９３】
[0103]ＵＥメモリ７２０は、ランダムアクセスメモリ（ＲＡＭ）または読取り専用メモリ（ＲＯＭ）を含み得る。ＵＥメモリ７２０は、実行されると、ＵＥプロセッサ７１０に、例えば、対の無線周波数スペクトルバンドの第１の無線周波数スペクトルバンド（例えば、ダウンリンク無線周波数スペクトルバンド）における第１のダウンリンク送信に関連付けられた第１のセルＩＤ、および対の無線周波数スペクトルバンドの第２の無線周波数スペクトルバンド（例えば、アップリンク無線周波数スペクトルバンド）における第２のダウンリンク送信に関連付けられた第２のセルＩＤ、に基づいて通信することを含んで、ワイヤレス通信に関連してここに説明される様々な機能を行わせるように構成された命令を含むコンピュータ読取り可能、コンピュータ実行可能コード７２５を記憶し得る。代替的に、コンピュータ実行可能コード７２５は、ＵＥプロセッサ７１０によって直接的に実行可能ではないこともあるが、（例えば、コンパイルおよび実行されると）、ＵＥ７１５に、本明細書に説明されている様々な機能を行わせるように構成され得る。
【００９４】
[0104]ＵＥプロセッサ７１０は、例えば、中央処理ユニット（ＣＰＵ）、マイクロコントローラ、ＡＳＩＣ、等の、インテリジェントハードウェアデバイスを含み得る。ＵＥプロセッサ７１０は、（１つまたは複数の）ＵＥトランシーバ７３０を通じて受信された情報または（１つまたは複数の）ＵＥアンテナ７４０を通じた送信のために（１つまたは複数の）ＵＥトランシーバ７３０に送られる情報を処理し得る。ＵＥプロセッサ７１０は、独力でまたはＵＥワイヤレス通信マネージャ７５０と接続して、１つまたは複数の無線周波数スペクトルバンド上で通信すること（または、それら上での通信を管理すること）の様々な態様を、対処し（handle）得る。
【００９５】
[0105]（１つまたは複数の）ＵＥトランシーバ７３０は、パケットを変調し、変調されたパケットを送信のために（１つまたは複数の）ＵＥアンテナ７４０に提供することと、（１つまたは複数の）ＵＥアンテナ７４０から受信されたパケットを復調することとを行うように構成されたモデムを含み得る。（１つまたは複数の）ＵＥトランシーバ７３０は、いくつかの例において、１つまたは複数のＵＥ送信機および１つまたは複数の別個のＵＥ受信機としてインプリメントされ得る。（１つまたは複数の）ＵＥトランシーバ７３０は、１つまたは複数の無線周波数スペクトルバンドにおける通信をサポートし得る。（１つまたは複数の）ＵＥトランシーバ７３０は、図１または３を参照して説明される基地局１０５、３０５、３０５−ａ、３０５−ｂ、３０５−ｃ、または３０５−ｄのうちの１つまたは複数と、（１つまたは複数の）ＵＥアンテナ７４０を介して、双方向で通信するように構成され得る。ＵＥ７１５が、単一のＵＥアンテナを含み得る一方で、ＵＥ７１５が複数のＵＥアンテナ（例えば、（１つまたは複数の）ＵＥアンテナ７４０）を含み得る例もある可能性がある。
【００９６】
[0106]ＵＥワイヤレス通信マネージャ７５０は、ワイヤレス通信に関連する図１、２、３、４、５、または６を参照して説明されるＵＥまたは装置の技法または機能のうちのいくつかまたは全てを行い、または制御するように構成され得る。ＵＥワイヤレス通信マネージャ７５０、またはそれの部分は、プロセッサを含み得、または、ＵＥワイヤレス通信マネージャ７５０の機能のうちのいくつかまたは全ては、ＵＥプロセッサ７１０によって、またはＵＥプロセッサ７１０と接続して行われ得る。いくつかの例において、ＵＥワイヤレス通信マネージャ７５０は、図４、５、または６を参照して説明される、ワイヤレス通信マネージャ４２０、５２０、または６２０の一例であり得る。
【００９７】
[0107]図８は、本開示の様々な態様に従って、ワイヤレス通信のための方法８００の例を例示するフローチャートである。明確にするために、方法８００は、図１、３、または７を参照して説明されるＵＥ１１５、３１５、３１５−ａ、３１５−ｂ、または７１５のうちの１つまたは複数の態様を、または、図４または５を参照して説明される装置４１５または５１５のうちの１つまたは複数の態様を参照して、下記に説明される。いくつかの例において、ＵＥは、以下で説明される機能を行うために、ＵＥの機能的な要素を制御するためのコードの１つまたは複数のセットを実行し得る。追加的または代替的に、ＵＥは、専用ハードウェアを使用して、以下で説明される機能のうちの１つまたは複数を実行し得る。
【００９８】
[0108]ブロック８０５において、方法８００は、対の無線周波数スペクトルバンドの第１の無線周波数スペクトルバンドにおける第１のダウンリンク送信に関連付けられた第１のセルＩＤを決定することを含み得る。ブロック８０５における（１つまたは複数の）動作は、図４、５、または７を参照して説明されるワイヤレス通信マネージャ４２０または５２０またはＵＥワイヤレス通信マネージャ７５０、あるいは図４または５を参照して説明される無線周波数スペクトルセルＩＤ決定器４３５または５３５を使用して、行われ得る。
【００９９】
[0109]ブロック８１０において、方法８００は、対の無線周波数スペクトルバンドの第２の無線周波数スペクトルバンドにおける第２のダウンリンク送信に関連付けられた第２のセルＩＤを決定することを含み得る。ブロック８１０における（１つまたは複数の）動作は、示されるように、ブロック８０５における（１つまたは複数の）動作と並行に、またはブロック８０５における（１つまたは複数の）動作の前または後に（図示せず）、行われ得る。ブロック８１０における（１つまたは複数の）動作は、図４、５、または７を参照して説明されるワイヤレス通信マネージャ４２０または５２０またはＵＥワイヤレス通信マネージャ７５０、あるいは図４または５を参照して説明される無線周波数スペクトルセルＩＤ決定器４３５または５３５を使用して、行われ得る。
【０１００】
[0110]ブロック８１５において、方法８００は、第１のセルＩＤおよび／または第２のセルＩＤに基づいて、（例えば、１つまたは複数の基地局と）通信することを含み得る。ブロック８１５における（１つまたは複数の）動作は、図４、５、または７を参照して説明されるワイヤレス通信マネージャ４２０または５２０またはＵＥワイヤレス通信マネージャ７５０を使用して、行われ得る。
【０１０１】
[0111]方法８００のうちのいくつかの例において、第１の無線周波数スペクトルバンドは、ダウンリンク無線周波数スペクトルバンドを含み得、第２の無線周波数スペクトルバンドは、アップリンク無線周波数スペクトルバンドを含み得る。いくつかの例において、第１の無線周波数スペクトルバンドおよび第２の無線周波数スペクトルバンドは、異なる送信電力制限、異なる干渉特性、またはそれらの組合せ、のうちの少なくとも１つに関連付けられ得る。代替的に、第１の無線周波数スペクトルバンドおよび第２の無線周波数スペクトルバンドは、電力制限の同じセットに関連付けられ得、および／または第１の無線周波数スペクトルバンドおよび第２の無線周波数スペクトルバンドは、干渉特性の同じセットに関連付けられ得る。第１のセルＩＤおよび第２のセルＩＤは、同じセルＩＤまたは異なるセルＩＤを含み得る。いくつかの例において、第１のセルＩＤおよび第２のセルＩＤは、同じＰＣＩまたは同じＶＣＩを含み得る。
【０１０２】
[0112]このように、方法８００は、ワイヤレス通信を提供し得る。方法８００は、単に１つのインプリメンテーションに過ぎず、方法８００の動作は、他のインプリメンテーションが可能であるように、再配列され得るか、または違った形に修正され得ることを留意されたい。
【０１０３】
[0113]図９は、本開示の様々な態様に従って、ワイヤレス通信のための方法９００の例を例示するフローチャートである。明確にするために、方法９００は、図１、３、または７を参照して説明されるＵＥ１１５、３１５、３１５−ａ、３１５−ｂ、または７１５のうちの１つまたは複数の態様を、または、図４または５を参照して説明される装置４１５または５１５のうちの１つまたは複数の態様を参照して、下記に説明される。いくつかの例において、ＵＥは、以下で説明される機能を行うために、ＵＥの機能的な要素を制御するためのコードの１つまたは複数のセットを実行し得る。追加的または代替的に、ＵＥは、専用ハードウェアを使用して、以下で説明される機能のうちの１つまたは複数を実行し得る。いくつかの例において、ブロック９０５、９１０、９１５、９２５、９３０、または９３５を含む第１のフローの（１つまたは複数の）動作は、ブロック９４０、９４５、９５０、９５５、９６０、または９６５を含む第２のフローの（１つまたは複数の）動作と並行に行われ得る。いくつかの例において、第１のフローおよび第２のフローの（１つまたは複数の）動作は、並行には、行われない可能性がある（図示せず）。
【０１０４】
[0114]ブロック９０５において、方法９００は、対の無線周波数スペクトルバンドのダウンリンク無線周波数スペクトルバンドにおける第１のダウンリンク送信に関連付けられた第１のセルＩＤを決定することを含み得る。ブロック９０５における（１つまたは複数の）動作は、図４、５、または７を参照して説明されるワイヤレス通信マネージャ４２０または５２０またはＵＥワイヤレス通信マネージャ７５０、あるいは図４または５を参照して説明される無線周波数スペクトルセルＩＤ決定器４３５または５３５を使用して、行われ得る。
【０１０５】
[0115]ブロック９４０において、方法９００は、対の無線周波数スペクトルバンドのアップリンク無線周波数スペクトルバンドにおける第２のダウンリンク送信に関連付けられた第２のセルＩＤを決定することを含み得る。ブロック９４０における（１つまたは複数の）動作は、図４、５、または７を参照して説明されるワイヤレス通信マネージャ４２０または５２０またはＵＥワイヤレス通信マネージャ７５０、あるいは図４または５を参照して説明される無線周波数スペクトルセルＩＤ決定器４３５または５３５を使用して、行われ得る。
【０１０６】
[0116]いくつかの例において、ダウンリンク無線周波数スペクトルバンドおよびアップリンク無線周波数スペクトルバンドは、異なる送信電力制限、異なる干渉特性、またはそれらの組合せ、のうちの少なくとも１つに関連付けられ得る。代替的に、ダウンリンク無線周波数スペクトルバンドおよびアップリンク無線周波数スペクトルバンドは、電力制限の同じセットに関連付けられ得、および／またはダウンリンク無線周波数スペクトルバンドおよびアップリンク無線周波数スペクトルバンドは、干渉特性の同じセットに関連付けられ得る。第１のセルＩＤおよび第２のセルＩＤは、同じセルＩＤまたは異なるセルＩＤを含み得る。いくつかの例において、第１のセルＩＤおよび第２のセルＩＤは、同じＰＣＩまたは同じＶＣＩを含み得る。
【０１０７】
[0117]ブロック９１０において、方法９００は、第１のダウンリンク送信に関する第１のＱＣＬ構成を決定することを含み得る。ブロック９１０における（１つまたは複数の）動作は、図４、５、または７を参照して説明されるワイヤレス通信マネージャ４２０または５２０またはＵＥワイヤレス通信マネージャ７５０、または図５を参照して説明される無線周波数スペクトルＱＣＬ構成決定器５４０を使用して、行われ得る。
【０１０８】
[0118]ブロック９４５において、方法９００は、第２のダウンリンク送信に関する第２のＱＣＬ構成を決定することを含み得る。いくつかの例において、ブロック９４５における（１つまたは複数の）動作は、第１のＱＣＬ構成に基づいて、第２のＱＣＬ構成を決定することを含み得る。ブロック９４５における（１つまたは複数の）動作は、図４、５、または７を参照して説明されるワイヤレス通信マネージャ４２０または５２０またはＵＥワイヤレス通信マネージャ７５０、あるいは図５を参照して説明される無線周波数スペクトルＱＣＬ構成決定器５４０を使用して、行われ得る。
【０１０９】
[0119]装置９００のいくつかの例において、第２のＱＣＬ構成は、第１のＱＣＬ構成の対応する少なくとも１つのパラメータとは異なる少なくとも１つのパラメータを含み得る。例えば、第１のＱＣＬ構成は、ダウンリンク無線周波数スペクトルバンドにおいて送信／受信された少なくとも１つの基準信号を含み得、第２のＱＣＬ構成は、ダウンリンク無線周波数スペクトルバンドにおいて送信／受信された少なくとも第１の基準信号およびアップリンク無線周波数スペクトルバンドにおいて送信／受信された少なくとも第２の基準信号を含み得る。いくつかの例において、少なくとも第１の基準信号は、ＣＲＳまたはＣＳＩ−ＲＳのうちの少なくとも１つを含み得、少なくとも第２の基準信号は、ＤＭ−ＲＳまたはＳＲＳのうちの少なくとも１つを含み得る。
【０１１０】
[0120]ブロック９１５において、方法９００は、第１のダウンリンク送信に関する第１のレート整合構成を決定することを含み得る。ブロック９１５における（１つまたは複数の）動作は、図４、５、または７を参照して説明されるワイヤレス通信マネージャ４２０または５２０またはＵＥワイヤレス通信マネージャ７５０、あるいは図５を参照して説明される無線周波数スペクトルレート整合構成決定器５４５を使用して、行われ得る。
【０１１１】
[0121]ブロック９５０において、方法９００は、第２のダウンリンク送信に関する第２のレート整合構成を決定することを含み得る。いくつかの例において、ブロック９５０における（１つまたは複数の）動作は、第１のレート整合構成に基づいて、第２のレート整合構成を決定することを含み得る。ブロック９５０における（１つまたは複数の）動作は、図４、５、または７を参照して説明されるワイヤレス通信マネージャ４２０または５２０またはＵＥワイヤレス通信マネージャ７５０、あるいは図５を参照して説明される無線周波数スペクトルレート整合構成決定器５４５を使用して、行われ得る。
【０１１２】
[0122]方法９００のいくつかの例において、第２のレート整合構成は、ＣＲＳ関連のレート整合無し、または第１のレート整合構成に関連付けられた第１のＣＲＳ関連のレート整合と比較してよりスパースなＣＲＳに関連付けられた第２のＣＲＳ関連のレート整合、または動的に存在するＣＲＳに関連付けられた第３のＣＲＳ関連のレート整合、または第１のダウンリンク送信に関連付けられた制御領域関連のレート整合と比較して制御領域関連のレート整合無し、またはそれらの組合せ、のうちの少なくとも１つを含み得る。
【０１１３】
[0123]ブロック９２０、９２５、９３０、９５５、または９６０の１つまたは複数において、方法９００は、第１のセルＩＤおよび／または第２のセルＩＤ、第１のＱＣＬ構成および／または第２のＱＣＬ構成、および／または第１のレート整合構成および／または第２のレート整合構成に基づいて、（例えば、１つまたは複数の基地局と）通信することを含み得る。
【０１１４】
[0124]ブロック９２０において、方法９００は、ＤＲＳを受信することを含み得る。いくつかの例において、ＤＲＳは、ダウンリンク無線周波数スペクトルバンドにおいて受信された少なくとも第１の基準信号およびアップリンク無線周波数スペクトルバンドにおいて受信された少なくとも第２の基準信号を含み得る。いくつかの例において、少なくとも第１の基準信号は、ＰＳＳ、ＳＳＳまたはＣＲＳのうちの少なくとも１つを含み得、少なくとも第２の基準信号は、ＣＳＩ−ＲＳまたはＳＲＳのうちの少なくとも１つを含み得る。いくつかの例において、少なくとも第１の基準信号は、第１のセルＩＤに関連付けられ、少なくとも第２の基準信号は、第２のセルＩＤに関連付けられ得る。ブロック９２０における（１つまたは複数の）動作は、図４、５、または７を参照して説明されるワイヤレス通信マネージャ４２０または５２０またはＵＥワイヤレス通信マネージャ７５０、または図５を参照して説明されるＤＲＳプロセッサ５５０を使用して、行われ得る。
【０１１５】
[0125]ブロック９２５において、方法９００は、ダウンリンク無線周波数スペクトルバンドにおいて第１のセルＩＤに関連付けられた第１のＣＲＳを受信することを含み得る。ブロック９５５において、方法９００は、アップリンク無線周波数スペクトルバンドにおいて第２のセルＩＤに関連付けられた第２のＣＲＳを受信することを含み得る。いくつかの例において、第１のＣＲＳおよびＣＲＳは、それぞれ、第１のＤＲＳまたは第２のＤＲＳの部分として、受信され得る。ブロック９２５または９５５における（１つまたは複数の）動作は、図４、５、または７を参照して説明されるワイヤレス通信マネージャ４２０または５２０またはＵＥワイヤレス通信マネージャ７５０、または図５を参照して説明されるＣＲＳプロセッサ５５５を使用して、行われ得る。
【０１１６】
[0126]ブロック９３０において、方法９００は、ダウンリンク無線周波数スペクトルバンドにおいてＣＳＩ−ＲＳを受信すること含み得る。いくつかの例において、ＣＳＩ−ＲＳは、第１のセルＩＤに関連付けられ得る。ブロック９６０において、方法９００は、アップリンク無線周波数スペクトルバンドにおいてＳＲＳを受信することを含み得る。いくつかの例において、ＳＲＳは、第２のセルＩＤに関連付けられ得る。いくつかの例において、ＣＳＩ−ＲＳまたはＳＲＳは、それぞれ、第１のＤＲＳまたは第２のＤＲＳの部分として、受信され得る。ブロック９３０または９６０における（１つまたは複数の）動作は、図４、５、または７を参照して説明されるワイヤレス通信マネージャ４２０または５２０またはＵＥワイヤレス通信マネージャ７５０、または図５を参照して説明されるＣＳＩ−ＲＳプロセッサ５６０またはＳＲＳプロセッサ５６５を使用して、行われ得る。
【０１１７】
[0127]ブロック９３５において、方法９００は、第１のダウンリンク送信に関する第１のＣＳＩフィードバックを決定することを含み得る。ブロック９６５において、方法９００は、第２のダウンリンク送信に関する第２のＣＳＩフィードバックを決定することを含み得る。いくつかの例において、第１のＣＳＩフィードバックは、ブロック９３０において受信されたＣＳＩ−ＲＳに基づき得、第２のＣＳＩフィードバックは、ブロック９６０において受信されたＳＲＳに基づき得る。ブロック９３５または９６５における（１つまたは複数の）動作は、図４、５、または７を参照して説明されるワイヤレス通信マネージャ４２０または５２０またはＵＥワイヤレス通信マネージャ７５０、または図５を参照して説明されるＣＳＩフィードバック決定器５７０を使用して、行われ得る。
【０１１８】
[0128]このように、方法９００は、ワイヤレス通信を提供し得る。方法９００は、単に１つのインプリメンテーションに過ぎず、方法９００の動作は、他のインプリメンテーションが可能であるように、再配列され得るか、または違った形に修正され得ることを留意されたい。
【０１１９】
[0129]図１０は、本開示の様々な態様に従って、ワイヤレス通信のための方法１０００の例を例示するフローチャートである。明確にするために、方法１０００は、図１、３、または７を参照して説明されるＵＥ１１５、３１５、３１５−ａ、３１５−ｂ、または７１５のうちの１つまたは複数の態様、あるいは、図６を参照して説明される装置６１５の態様を参照して、下記に説明される。いくつかの例において、ＵＥは、以下で説明される機能を行うために、ＵＥの機能的な要素を制御するためのコードの１つまたは複数のセットを実行し得る。追加的または代替的に、ＵＥは、専用ハードウェアを使用して、以下で説明される機能のうちの１つまたは複数を実行し得る。
【０１２０】
[0130]ブロック１００５において、方法１０００は、アップリンク無線周波数スペクトルバンドにおけるダウンリンク送信に関連付けられたセルＩＤを決定することを含み得る。ブロック１００５における（１つまたは複数の）動作は、図６、または７を参照して説明されるワイヤレス通信マネージャ６２０またはＵＥワイヤレス通信マネージャ７５０、または図６を参照して説明される無線周波数スペクトルセルＩＤ決定器６３５を使用して、行われ得る。
【０１２１】
[0131]ブロック１０１０において、方法１０００は、アップリンク無線周波数スペクトルバンドのサブフレームにおいてダウンリンク送信を受信することを含み得る。ダウンリンク送信は、セルＩＤおよびＰＵＳＣＨのフォーマットに基づき得、８レイヤのＳＵ−ＭＩＭＯ送信を含み得る。いくつかの例において、ダウンリンク送信は、サブフレームの第１のスロットおよび第２のスロットの各々における８つの異なるサイクリックシフト、第１のスロットにおける４つの異なるサイクリックシフトの第１のセットおよび第２のスロットにおける４つの異なるサイクリックシフトの第２のセット、第１の周波数コームにおける４つの異なるサイクリックシフトの第１のセットおよび第２の周波数コームにおける４つの異なるサイクリックシフトの第２のセット、またはそれらの組合せ、のうちの少なくとも１つに関連付けられ得る。ブロック１０１０における（１つまたは複数の）動作は、図６、または７を参照して説明されるワイヤレス通信マネージャ６２０またはＵＥワイヤレス通信マネージャ７５０、または図６を参照して説明されるダウンリンク送信マネージャ６４０を使用して、行われ得る。
【０１２２】
[0132]このように、方法１０００は、ワイヤレス通信を提供し得る。方法１０００は、単に１つのインプリメンテーションに過ぎず、方法１０００の動作は、他のインプリメンテーションが可能であるように、再配列され得るか、または違った形に修正され得ることを留意されたい。
【０１２３】
[0133]いくつかの例において、図８、９、または１０を参照して説明される方法８００、９００、または１０００のうちの２つ以上からの態様が、組み合わされ得る。方法８００、９００、または１０００は、単に例となるインプリメンテーションに過ぎず、方法８００、９００、または１０００の動作は、他のインプリメンテーションが可能であるように、再配列され得るか、または違った形に修正され得ることを留意されたい。
【０１２４】
[0134]本書で説明される技法は、ＣＤＭＡ、ＴＤＭＡ、ＦＤＭＡ、ＯＦＤＭＡ、シングルキャリアＦＤＭＡ（ＳＣ−ＦＤＭＡ）、および他のシステムのような様々なワイヤレス通信システムに対して使用され得る。「システム」および「ネットワーク」という用語は、しばしば交換可能に使用される。ＣＤＭＡシステムは、ＣＤＭＡ２０００、ユニバーサル地上無線アクセス（ＵＴＲＡ）、等の無線技術をインプリメントし得る。ＣＤＭＡ２０００は、ＩＳ−２０００、ＩＳ−９５およびＩＳ−８５６規格をカバーする。ＩＳ−２０００リリース０およびＡは、ＣＤＭＡ２０００１Ｘ、１Ｘ、等と呼ばれ得る。ＩＳ−８５６（ＴＩＡ−８５６）は、ＣＤＭＡ２０００１ｘＥＶ−ＤＯ、高レートパケットデータ（ＨＲＰＤ）、等と呼ばれ得る。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術をインプリメントし得る。ＵＴＲＡおよびＥ−ＵＴＲＡは、ユニバーサルモバイルテレコミュニケーションシステム（ＵＭＴＳ）の部分である。３ＧＰＰ  ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、およびＧＳＭは、３ＧＰＰという名称の団体による文書中で説明されている。ＣＤＭＡ２０００およびＵＭＢは、「第３世代パートナーシッププロジェクト２」（３ＧＰＰ２）という名称の団体からの文書に記載されている。ここで説明された技法は、アンライセンスまたは共有の帯域幅を通じたセルラ（例えば、ＬＴＥ）通信を含め、上述されるシステムおよび無線技術、ならびに他のシステムおよび無線技術のために使用され得る。しかしながら、上記の説明は、例の目的でＬＴＥ／ＬＴＥ−Ａシステムを説明しており、ＬＴＥという専門用語が上記の説明のほとんどにおいて使用されているが、その技法はＬＴＥ／ＬＴＥ−Ａアプリケーションを超えて適用可能である。
【０１２５】
[0135]添付の図面に関して上述された詳細な説明は、例を説明しており、インプリメントされ得る、または特許請求の範囲内にある例の全てを表すものではない。本説明において使用されるとき、「例（example）」および「例となる（exemplary）」という用語は、「好ましい」あるいは「その他の例よりも有利である」ということではなく、「例、実例（instance）、または例示（illustration）としての役割を果たすこと」を意味する。詳細な説明は、説明された技法の理解を提供する目的で特定の詳細を含む。これらの技法は、しかしながら、これらの特定の詳細なしに実施され得る。いくつかの実例では、周知の構造および装置は、説明された複数の例の概念を暖味にすることを避けるためにブロック図の形態で示されている。
【０１２６】
[0136]情報および信号は、様々な異なる技術および技法のうちの任意のものを使用して表わされ得る。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組合せによって表わされ得る。
【０１２７】
[0137]本明細書での開示に関連して説明された様々な例示的なブロックおよびコンポーネントは、汎用プロセッサ、デジタルシグナルプロセッサ（ＤＳＰ）、ＡＳＩＣ、ＦＰＧＡまたは他のプログラマブル論理デバイス、離散ゲートまたはトランジスタ論理回路、離散ハードウェアコンポーネント、あるいは本明細書で説明された複数の機能を行うように設計されたそれらの任意の組合せを用いて、インプリメントまたは行われ得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ、例えば、ＤＳＰおよびマイクロプロセッサの組合せ、複数のマイクロプロセッサ、ＤＳＰコアと連携した１つまたは複数のマイクロプロセッサ、あるいはいずれの他のそのような構成としてもインプリメントされ得る。
【０１２８】
[0138]ここで説明された機能は、ハードウェア、プロセッサによって実行されるソフトウェア、ファームウェア、またはこれらの任意の組合せでインプリメントされ得る。プロセッサによって実行されるソフトウェアでインプリメントされる場合、これら機能は、コンピュータ読取り可能媒体上で、１つまたは複数の命令またはコードとして記憶または送信され得る。他の例およびインプリメンテーションは、本開示および添付の特許請求の範囲および精神の範囲内にある。例えば、ソフトウェアの特質に起因して、上記に説明された機能は、プロセッサによって実行されるソフトウェア、ハードウェア、ファームウェア、ハードワイヤリング、またはこれらのいずれの組合せを使用してインプリメントされ得る。機能をインプリメントする特徴は、異なる物理的な位置において機能の部分がインプリメントされるように分布している（being distributed）ことを含めて、様々な場所に物理的に位置し得る。請求項内を含め、ここで使用される場合、「および／または」という用語は、２つ以上の項目の列挙において使用されるとき、列挙された項目のうちのいずれか１つがそれにより採用されることができること、または２つ以上の列挙された項目のうちのいずれの組合わせも採用されることができることを意味する。例えば、構成（composition）がコンポーネントＡ、Ｂ、および／またはＣを含むとして説明される場合、構成は、Ａ単独、Ｂ単独、Ｃ単独、組み合わせてＡおよびＢ、組み合わせてＡおよびＣ、組み合わせてＢおよびＣ、または組み合わせてＡ、Ｂ、およびＣを含むことができる。また、特許請求の範囲を含め、ここで使用される場合、項目の列挙（例えば、「〜のうちの少なくとも１つ」または「〜のうちの１つまたは複数）」といった表現で始まる項目の列挙）において使用される「または（ｏｒ）」は、例えば、項目の列挙「のうちの少なくとも１つ」を言及する文言が、単一のメンバを含め、それらの項目のいずれの組合せを言及するように、包含的な列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、Ａ−Ｂ−Ｃ、ならびに複数個（multiples of）の同じ要素を用いた任意の組合せ（例えば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、または、Ａ、Ｂ、およびＣの任意の他の順序）をカバーすることが意図される。
【０１２９】
[0139]ここで使用される場合、「〜に基づいて」という文言は、条件の閉集合への言及として解釈されるべきではない。例えば、「条件Ａに基づいて」として説明される例となるステップは、本開示の範囲から逸脱することなく条件Ａおよび条件Ｂの両方に基づき得る。言い換えると、ここで使用される場合、「〜に基づいて」という文言は、「〜少なくとも部分的に基づいて」という文言と同じように解釈されるべきである。
【０１３０】
[0140]コンピュータ読取り可能媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされることができる任意の利用可能な媒体であり得る。限定ではなく例として、非一時的なコンピュータ読取り可能媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用または専用コンピュータ、または汎用または専用プロセッサによってアクセスされることができるその他任意の非一時的な媒体を備えることができる。また、任意の接続は、厳密にはコンピュータ読取り可能媒体と称される。例えば、ソフトウェアが、ウェブサイトから、サーバから、または、同軸ケーブル、ファイバ光ケーブル、ツイストペア、デジタル加入者線（ＤＳＬ）、または赤外線や、無線や、マイクロ波のようなワイヤレス技術を使用している他の遠隔ソースから送信された場合、同軸ケーブル、ファイバ光ケーブル、ツイストペア、ＤＳＬ、または、赤外線や、無線や、マイクロ波のようなワイヤレス技術は、媒体の定義に含まれる。ここで使用される場合、ディスク（disk）およびディスク（disc）は、ＣＤ、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここでディスク（disk）は、通常磁気的にデータを再生し、一方で、ディスク（disc）は、レーザーを用いて光学的にデータを再生する。上記の組合せもまた、コンピュータ可読媒体の範囲内に含まれる。
【０１３１】
[0141]本開示の先の説明は、当業者に本開示の製造または使用を可能にするように提供される。本開示に対する様々な修正は、当業者にとって容易に明らかとなり、ここに定義された包括的な原理は、本開示の範囲から逸脱することなしに他の変形に適用され得る。従って、本開示は、本明細書に説明された例および設計に限定されるべきではなく、ここに開示された原理および新規な技法と一致する最も広い範囲を与えられるべきである。
以下に本願の出願当初の特許請求の範囲に記載された発明を付記する。
［Ｃ１］  ユーザ機器（ＵＥ）におけるワイヤレス通信のための方法であって、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと、
前記第１のセルＩＤおよび前記第２のセルＩＤに少なくとも部分的に基づいて通信することと
を備える、方法。
［Ｃ２］  前記第１の無線周波数スペクトルバンドは、ダウンリンク無線周波数スペクトルバンドを備え、前記第２の無線周波数スペクトルバンドは、アップリンク無線周波数スペクトルバンドを備える、Ｃ１に記載の方法。
［Ｃ３］  前記第２のダウンリンク送信に関する第２の疑似コロケーション（ＱＣＬ）構成を決定することをさらに備える、Ｃ２に記載の方法。
［Ｃ４］  前記第１のダウンリンク送信に関する第１のＱＣＬ構成を決定すること、
ここにおいて、前記第２のＱＣＬ構成は、前記第１のＱＣＬ構成に少なくとも部分的に基づいて、決定される、
をさらに備える、Ｃ３に記載の方法。
［Ｃ５］  前記第２のＱＣＬ構成は、前記ダウンリンク無線周波数スペクトルバンドにおいて受信された少なくとも第１の基準信号および前記アップリンク無線周波数スペクトルバンドにおいて受信された少なくとも第２の基準信号を備える、Ｃ３に記載の方法。
［Ｃ６］  前記少なくとも第１の基準信号は、セル固有基準信号（ＣＲＳ）またはチャネル状態情報基準信号（ＣＳＩ−ＲＳ）のうちの少なくとも１つを備え、前記少なくとも第２の基準信号は、復調基準信号（ＤＭ−ＲＳ）またはサウンディング基準信号（ＳＲＳ）のうちの少なくとも１つを備える、Ｃ５に記載の方法。
［Ｃ７］  前記第２のダウンリンク送信に関する第２のレート整合構成を決定することをさらに備える、Ｃ２に記載の方法。
［Ｃ８］  前記第１のダウンリンク送信に関する第１のレート整合構成を決定することと、
ここにおいて、前記第２のレート整合構成は、前記第１のレート整合構成に少なくとも部分的に基づいて、決定される、
をさらに備える、Ｃ７に記載の方法。
［Ｃ９］  前記第２のレート整合構成は、
ＣＲＳ関連のレート整合無し、または前記第１のダウンリンク送信に関連付けられた第１のＣＲＳ関連のレート整合と比較してよりスパースなＣＲＳに関連付けられた第２のＣＲＳ関連のレート整合、または動的に存在するＣＲＳに関連付けられた第３のＣＲＳ関連のレート整合、または前記第１のダウンリンク送信に関連付けられた制御領域関連のレート整合と比較して制御領域関連のレート整合無し、またはそれらの組合せ、のうちの少なくとも１つを備える、Ｃ７に記載の方法。
［Ｃ１０］  前記第１のセルＩＤは、前記第２のセルＩＤは、とは異なり、ここで、前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、
Ｃ２に記載の方法。
［Ｃ１１］  前記第１のセルＩＤおよび前記第２のセルＩＤは、同じセルＩＤを備え、および前記通信することは、
前記ダウンリンク無線周波数スペクトルバンドにおいて前記第１のセルＩＤに関連付けられた第１のＣＲＳを受信することと、
前記アップリンク無線周波数スペクトルバンドにおいて前記第２のセルＩＤに関連付けられた第２のＣＲＳを受信することと
を備える、Ｃ２に記載の方法。
［Ｃ１２］  前記第１のダウンリンク送信に関する第１のチャネル状態情報（ＣＳＩ）フィードバックを決定することと、
前記第２のダウンリンク送信に関する第２のＣＳＩフィードバックを決定することと  をさらに備える、Ｃ２に記載の方法。
［Ｃ１３］  前記ダウンリンク無線周波数スペクトルバンドにおいてＣＳＩ−ＲＳを受信することと、
前記アップリンク無線周波数スペクトルバンドにおいて、サウンディング基準信号（ＳＲＳ）を受信することと
ここにおいて、前記第１のＣＳＩフィードバックは、前記ＣＳＩ−ＲＳに少なくとも部分的に基づき、および前記第２のＣＳＩフィードバックは、前記ＳＲＳに少なくとも部分的に基づく、と
をさらに備える、Ｃ１２に記載の方法。
［Ｃ１４］  前記通信することは、
ＤＲＳを受信すること
を備える、Ｃ２に記載の方法。
［Ｃ１５］  前記ＤＲＳは、前記ダウンリンク無線周波数スペクトルバンドにおいて受信された少なくとも第１の基準信号および前記アップリンク無線周波数スペクトルバンドにおいて受信された少なくとも第２の基準信号を備える、Ｃ１４に記載の方法。
［Ｃ１６］  前記少なくとも第１の基準信号は、プライマリ同期信号（ＰＳＳ）、またはセカンダリ同期信号（ＳＳＳ）、またはＣＲＳのうちの少なくとも１つを備え、ここにおいて、前記少なくとも第２の基準信号は、ＣＳＩ−ＲＳまたはＳＲＳのうちの少なくとも１つを備える、Ｃ１５に記載の方法。
［Ｃ１７］  前記第１の無線周波数スペクトルバンドおよび前記第２の無線周波数スペクトルバンドは、異なる送信電力制限、または異なる干渉特性、またはそれらの組合せ、のうちの少なくとも１つに関連付けられる、Ｃ１に記載の方法。
［Ｃ１８］  前記第１のセルＩＤおよび前記第２のセルＩＤは、同じ物理セルＩＤ（ＰＣＩ）または同じ仮想セルＩＤ（ＶＣＩ）を備える、Ｃ１に記載の方法。
［Ｃ１９］  前記通信することは、
前記第２の無線周波数スペクトルバンドのサブフレームにおいて前記第２のダウンリンク送信を受信することを備え、前記第２のダウンリンク送信は、前記第２のセルＩＤおよび物理アップリンク共有チャネル（ＰＵＳＣＨ）のフォーマットに少なくとも部分的に基づき、および前記第２のダウンリンク送信は、８レイヤのシングルユーザ多入力多出力（ＳＵ−ＭＩＭＯ）送信を備える、Ｃ１に記載の方法。
［Ｃ２０］  前記第２のダウンリンク送信は、前記サブフレームの第１のスロットおよび第２のスロットの各々における８つの異なるサイクリックシフト、または前記第１のスロットにおける４つの異なるサイクリックシフトの第１のセットおよび前記第２のスロットにおける４つの異なるサイクリックシフトの第２のセット、または第１の周波数コームにおける４つの異なるサイクリックシフトの前記第１のセットおよび第２の周波数コームにおける４つの異なるサイクリックシフトの前記第２のセット、またはそれらの組合せ、のうちの少なくとも１つに関連付けられる、Ｃ１９に記載の方法。
［Ｃ２１］  ユーザ機器（ＵＥ）におけるワイヤレス通信のための装置であって、
対の無線周波数スペクトルバンドの第１の無線周波数スペクトルバンドにおける第１のダウンリンク送信に関連付けられた第１のセル識別子（ＩＤ）を決定するための手段と、  前記対の無線周波数スペクトルバンドの第２の無線周波数スペクトルバンドにおける第２のダウンリンク送信に関連付けられた第２のセルＩＤを決定するための手段と、
前記第１のセルＩＤおよび前記第２のセルＩＤに少なくとも部分的に基づいて通信するための手段と
を備える、装置。
［Ｃ２２］  前記第１の無線周波数スペクトルバンドは、ダウンリンク無線周波数スペクトルバンドを備え、前記第２の無線周波数スペクトルバンドは、アップリンク無線周波数スペクトルバンドを備える、Ｃ２１に記載の装置。
［Ｃ２３］  前記第２のダウンリンク送信に関する第２の疑似コロケーション（ＱＣＬ）構成を決定するための手段をさらに備える、Ｃ２２に記載の装置。
［Ｃ２４］  前記第１のダウンリンク送信に関する第１のＱＣＬ構成を決定するための手段と、
ここにおいて、前記第２のＱＣＬ構成は、前記第１のＱＣＬ構成に少なくとも部分的に基づいて、決定される、と
をさらに備える、Ｃ２３に記載の装置。
［Ｃ２５］  前記第２のＱＣＬ構成は、前記ダウンリンク無線周波数スペクトルバンドにおいて受信された少なくとも第１の基準信号および前記アップリンク無線周波数スペクトルバンドにおいて受信された少なくとも第２の基準信号を備える、Ｃ２３に記載の装置。
［Ｃ２６］  前記少なくとも第１の基準信号は、セル固有基準信号（ＣＲＳ）またはチャネル状態情報基準信号（ＣＳＩ−ＲＳ）のうちの少なくとも１つを備え、前記少なくとも第２の基準信号は、復調基準信号（ＤＭ−ＲＳ）またはサウンディング基準信号（ＳＲＳ）のうちの少なくとも１つを備える、Ｃ２５に記載の装置。
［Ｃ２７］  前記第２のダウンリンク送信に関する第２のレート整合構成を決定するための手段
をさらに備える、Ｃ２２に記載の装置。
［Ｃ２８］  前記第１のダウンリンク送信に関する第１のレート整合構成を決定するための手段、  ここにおいて、前記第２のレート整合構成は、前記第１のレート整合構成に少なくとも部分的に基づいて、決定される、
をさらに備える、Ｃ２７に記載の装置。
［Ｃ２９］  ユーザ機器（ＵＥ）におけるワイヤレス通信のための装置であって、
プロセッサと、
前記プロセッサと電子通信状態にあるメモリと
を備え、
前記プロセッサおよび前記メモリは、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと
前記第１のセルＩＤおよび前記第２のセルＩＤに少なくとも部分的に基づいて通信することと
を行うように構成される、装置。
［Ｃ３０］  ワイヤレス通信のためのコンピュータ実行可能コードを記憶した非一時的コンピュータ読取り可能媒体であって、前記コードは、
対の無線周波数スペクトルバンドの第１の無線周波数スペクトルバンドにおける第１のダウンリンク送信に関連付けられた第１のセル識別子（ＩＤ）を決定することと、
前記対の無線周波数スペクトルバンドの第２の無線周波数スペクトルバンドにおける第２のダウンリンク送信に関連付けられた第２のセルＩＤを決定することと、
前記第１のセルＩＤおよび前記第２のセルＩＤに少なくとも部分的に基づいて通信することと
を行なうために、プロセッサによって、実行可能である、非一時的なコンピュータ読取り可能媒体。
【図１】
0006790093.tif 000002
【図２】
0006790093.tif 000003
【図３】
0006790093.tif 000004
【図４】
0006790093.tif 000005
【図５】
0006790093.tif 000006
【図６】
0006790093.tif 000007
【図７】
0006790093.tif 000008
【図８】
0006790093.tif 000009
【図９】
0006790093.tif 000010
【図１０】
0006790093.tif 000011